(57)【要約】【課題】空気と冷却対象との熱交換を効率的に行うことができる投射型表示装置を提供する。【解決手段】プロジェクター１は、液晶パネル１３１等の光学部品と、光学部品を冷却するための第３シロッコファン７７と、第３シロッコファン７７からの空気を光学部品に導き、光学部品に対向する吹き出し口１０３が形成された第２導出ダクト７９とを有し、第２導出ダクトには、吹き出し口１０３から吹き出される空気の流れの層流から乱流への遷移を促す乱流促進部としての、切欠き１５１、１５３が形成されたノズル１４５が設けられている。【選択図】図１３
2008262063.tif 000002
【特許請求の範囲】
【請求項１】
光学部品と、
前記光学部品を冷却するためのファンと、
前記ファンからの空気を前記光学部品に導き、前記光学部品に対向する吹き出し口が形成されたダクトと、
を有し、
前記ダクトには、前記吹き出し口から吹き出される空気の流れの層流から乱流への遷移を促す乱流促進部が設けられている
投射型表示装置。
【請求項２】
前記乱流促進部は、前記吹き出し口の周囲に設けられ、前記光学部品側へ突出し、少なくとも先端に切り込みが形成された壁部である
請求項１に記載の投射型表示装置。
【請求項３】
前記壁部は、前記光学部品における光の透過方向に対して交差する壁部であり、
前記切り込みは、前記壁部に沿って形成され、前記壁部を複数層に分割する
請求項２に記載の投射型表示装置。
【請求項４】
前記乱流促進部は、前記吹き出し口の周囲に設けられ、前記光学部品側へ突出し、少なくとも先端が、前記ダクトの前記ファンからの空気を前記吹き出し口まで導く部分よりも薄く形成された壁部である
請求項１に記載の投射型表示装置。
【請求項５】
前記乱流促進部は、前記吹き出し口の周囲に設けられ、前記光学部品側へ突出し、先端側が根元側よりも薄い壁部である
請求項１に記載の投射型表示装置。
【請求項６】
前記乱流促進部は、前記吹き出し口の周囲に設けられ、前記光学部品側へ突出し、少なくとも一部が可撓性を有する材料により形成された壁部である
請求項１に記載の投射型表示装置。
【請求項７】
前記乱流促進部は、前記吹き出し口の周囲に設けられ、前記光学部品側へ突出し、少なくとも一部が、前記ダクトの前記ファンからの空気を前記吹き出し口まで導く部分を構成する材料よりも剛性が低い材料により形成された壁部である
請求項１に記載の投射型表示装置。
【請求項８】
前記乱流促進部は、前記吹き出し口の内周面に設けられ、前記吹き出し口の中央側へ突出する複数の突部である
請求項１に記載の投射型表示装置。
【請求項９】
前記乱流促進部は、前記吹き出し口を構成し、少なくとも先端に複数の切り込みが形成されたノズルである
請求項１に記載の投射型表示装置。
【請求項１０】
前記複数の切り込みは、前記光学部品における光の透過方向に沿って形成され、前記ノズルを前記透過方向に交差する壁部と他の壁部とに分離する
請求項９に記載の投射型表示装置。
【発明の詳細な説明】
【技術分野】
【０００１】
本発明は、液晶プロジェクタやＣＲＴプロジェクタ等の投射型表示装置に関する。具体的には、筐体内部の空冷を行う投射型表示装置に関する。
【背景技術】
【０００２】
投射型表示装置では、光源、光源からの光を受ける光学部品等の種々の部品の空冷が行われている。光学部品に効果的に冷却するために、ファンからの空気をダクトにより光学部品まで導く技術も種々提案されている。
【０００３】
例えば、特許文献１では、ファンからの空気をダクトによりライトバルブに導く技術が開示されている。ライトバルブは、Ｒ、Ｇ、Ｂの各色に対応して３つ設けられており、ダクトには、３つのライトバルブそれぞれに空気を吹き付けるための３つの吹き出し口が形成されている。なお、特許文献１の技術では、塵のライトバルブ等への付着防止の観点から、ダクトの吹き出し口から吹き出される空気の流れが乱流となることを防止する構成が設けられている。
【特許文献１】特開２００３−２４１３１４号公報
【発明の開示】
【発明が解決しようとする課題】
【０００４】
部品の空冷をより行うために、ファンによる送風量を多くすると、種々の不都合が生じる。例えば、ファンの駆動電力を高くして回転数を上げれば、ランニングコストが高くなる。ファンが大型化すれば、投射型表示装置全体も大きくなり、取り扱い性が低下する。また、ファンの回転数増加や大型化に伴って、ファンに起因する騒音も大きくなる。従って、効率的に空気と冷却対象との間で熱交換が行われることが望まれる。
【０００５】
本発明の目的は、空気と冷却対象との熱交換を効率的に行うことができる投射型表示装置を提供することにある。
【課題を解決するための手段】
【０００６】
本発明の投射型表示装置は、光学部品と、前記光学部品を冷却するためのファンと、前記ファンからの空気を前記光学部品に導き、前記光学部品に対向する吹き出し口が形成されたダクトと、を有し、前記ダクトには、前記吹き出し口から吹き出される空気の流れの層流から乱流への遷移を促す乱流促進部が設けられている。
【０００７】
好適には、前記乱流促進部は、前記吹き出し口の周囲に設けられ、前記光学部品側へ突出し、少なくとも先端に切り込みが形成された壁部である。
【０００８】
好適には、前記壁部は、前記光学部品における光の透過方向に対して交差する壁部であり、前記切り込みは、前記壁部に沿って形成され、前記壁部を複数層に分割する。
【０００９】
好適には、前記乱流促進部は、前記吹き出し口の周囲に設けられ、前記光学部品側へ突出し、少なくとも先端が、前記ダクトの前記ファンからの空気を前記吹き出し口まで導く部分よりも薄く形成された壁部である。
【００１０】
好適には、前記乱流促進部は、前記吹き出し口の周囲に設けられ、前記光学部品側へ突出し、先端側が根元側よりも薄い壁部である。
【００１１】
好適には、前記乱流促進部は、前記吹き出し口の周囲に設けられ、前記光学部品側へ突出し、少なくとも一部が可撓性を有する材料により形成された壁部である。
【００１２】
好適には、前記乱流促進部は、前記吹き出し口の周囲に設けられ、前記光学部品側へ突出し、少なくとも一部が、前記ダクトの前記ファンからの空気を前記吹き出し口まで導く部分を構成する材料よりも剛性が低い材料により形成された壁部である。
【００１３】
好適には、前記乱流促進部は、前記吹き出し口の内周面に設けられ、前記吹き出し口の中央側へ突出する複数の突部である。
【００１４】
好適には、前記乱流促進部は、前記吹き出し口を構成し、少なくとも先端に複数の切り込みが形成されたノズルである。
【００１５】
好適には、前記複数の切り込みは、前記光学部品における光の透過方向に沿って形成され、前記ノズルを前記透過方向に交差する壁部と他の壁部とに分離する。
【発明の効果】
【００１６】
本発明によれば、空気と冷却対象との熱交換を効率的に行うことができる。
【発明を実施するための最良の形態】
【００１７】
図１〜図３は、本発明の実施形態に係る投射型表示装置としてのプロジェクター１の外観を示す斜視図である。図１は、プロジェクター１を投射方向側（スクリーン側）且つプロジェクター１の天面側から見た斜視図である。図２は、プロジェクター１を投射方向側（スクリーン側）且つプロジェクター１の底面側から見た斜視図である。図３は、プロジェクター１を背後側（スクリーン側とは反対側）且つプロジェクター１の底面側から見た斜視図である。
【００１８】
なお、以下では、各色の光、すなわち、Ｒ光、Ｇ光、Ｂ光に対応する構成を示す符号に対して、Ｒ、Ｇ、Ｂの付加符号を付すことがあり、また、これらの付加符号を適宜に省略して説明することがある。
【００１９】
プロジェクター１は、筐体３と、筐体３に取り付けられたレンズ鏡筒５（図１）とを有している。レンズ鏡筒５内には、光をスクリーンに投射するための投射レンズ６（図１）が配置されている。なお、図２では、レンズ鏡筒５に、投射レンズ６を保護するためのキャップ３５が被覆されている場合を例示している。なお、投射方向は、投射レンズ６の光軸ＬＡに沿う方向である。
【００２０】
プロジェクター１は、天地を逆にして使用可能となっている。すなわち、プロジェクター１は、実際の上下方向を図１の上下方向と一致させて、テーブル等の載置面に載置して使用する載置状態と、実際の上下方向を図１の上下方向と逆にして、天井等の吊り下げ面から吊り下げて使用する吊り状態との双方で使用可能である。
【００２１】
なお、以下では、便宜上、基本的に、図１の上方側（載置状態の上方側）をプロジェクター１の上面側、図１の下方側（載置状態の下方側）をプロジェクター１の底面側として説明する。
【００２２】
筐体３は、例えば、上下方向に薄い直方体状に形成されており、上面部３ａ、底面部３ｂ、前面部３ｃ、背面部３ｄ、第１側面部３ｅ、及び、第２側面部３ｆを有している。上面部３ａは、プロジェクター１の載置状態において上面となる面を構成している。底面部３ｂは、プロジェクター１の載置状態において底面となる面を構成している。前面部３ｃは、投射方向側の面を構成している。背面部３ｄは、投射方向とは反対側の面を構成している。第１側面部３ｅ及び第２側面部３ｆは、投射方向に沿い、上面部３ａ及び底面部３ｂに交差する面を構成している。
【００２３】
底面部３ｂには、図２に示すように、プロジェクター１を載置面に載置するための複数の支持具７（一つのみ示す）を取付可能な雌ネジ部９が形成されている。雌ネジ部９は、例えば、底面部３ｂの四隅に形成されている。支持具７は、雄ネジ部７ａを有しており、雄ネジ部７ａが雌ネジ部９に螺合されることにより底面部３ｂに固定される。プロジェクター１は、雄ネジ部７ａの雌ネジ部９へのねじ込み量を調整することにより、載置面からの高さ及び載置面に対する傾斜を調整可能となっている。プロジェクター１は、支持具７により、底面部３ｂを載置面から離間して載置面に載置される。
【００２４】
また、底面部３ｂには、図３に示すように、プロジェクター１を天井等から吊り下げるための吊り下げ具１１（一部のみを抽象化して示す。）を取付可能な雌ネジ部１０が形成されている。雌ネジ部１０は、例えば、底面部３ｂの比較的広い範囲の３箇所に配置されている。吊り下げ具１１は、吊り下げ具１１に挿通されたネジ１３（一つのみ示す）が雌ネジ部１０に螺合されることにより、底面部３ｂに固定される。そして、吊り下げ具１１が不図示のネジ等により天井に固定されることにより、プロジェクター１は、載置状態とは天地を逆にした吊り状態で使用される。
【００２５】
底面部３ｂには、図２及び図３に示すように、後述する吸気口のフィルターを交換するためのフィルター交換用蓋体１５と、後述する光源としてのランプを交換するためのランプ交換用蓋体１７が装着されている。なお、これらは、筐体３の一部として捉えることもできる。また、底面部３ｂには、筐体３への吸気を行うための複数の吸気口１９及び複数の吸気口２１、並びに、筐体３からの排気を行うための複数の排気口２３が形成されている。
【００２６】
前面部３ｃには、図１に示すように、投射レンズ６を露出させるための開口２５が形成されている。開口２５は、前面部３ｃのうち、左右方向の一方側（図１の紙面左側、第２側面部３ｆ側）に配置されている。
【００２７】
前面部３ｃ及び第１側面部３ｅの交差する角部には、図１及び図２に示すように、筐体３外部へ排気を行うための排気部２７が形成されている。排気部２７は、前面部３ｃから第１側面部３ｅに亘って開口しており、前面部３ｃにおいて開口する前面側排気部２７ａと、第１側面部３ｅにおいて開口する側面側排気部２７ｂとを有している。
【００２８】
排気部２７は、排気ルーバー２９を有している。排気ルーバー２９は、例えば、筐体３と一体成形されている。排気ルーバー２９は、複数の羽板を有し、その複数の羽板により形成される隙間は、投射方向側且つ投射レンズ６の光軸ＬＡから離間する方向へ開口している。具体的には、以下に例示するとおりである。
【００２９】
排気ルーバー２９は、前面側排気部２７ａに配置される前面側ルーバー２９ａと、側面側排気部２７ｂに配置される側面側ルーバー２９ｂとを有している。前面側ルーバー２９ａは、複数の前面側羽板２９ｃを有している。側面側ルーバー２９ｂは、複数の側面側羽板２９ｄを有している。
【００３０】
複数の前面側羽板２９ｃは、例えば、上下方向に長い長尺状の板状部材である。複数の前面側羽板２９ｃは、互いに離間して概ね平行に配置されており、複数の前面側羽板２９ｃの間には、筐体３の内外を連通する複数のスリット３１ａ（隙間）が形成されている。複数の前面側羽板２９ｃは、筐体外部側（投射方向側）ほど投射レンズ６の光軸ＬＡから離間する方向へ傾斜して配置されている。従って、スリット３１ａは、投射方向側且つ投射レンズ６の光軸ＬＡから離間する方向へ開口している。
【００３１】
複数の側面側羽板２９ｄは、例えば、上下方向に長い長尺状の板状部材である。複数の側面側羽板２９ｄは、互いに離間して概ね平行に配置されており、複数の側面側羽板２９ｄの間には、筐体３の内外を連通する複数のスリット３１ｂ（隙間）が形成されている。複数の側面側羽板２９ｄは、筐体外部側（投射レンズ６の光軸ＬＡから離間する側）ほど投射方向側へ傾斜して配置されている。従って、スリット３１ｂは、投射方向側且つ投射レンズ６の光軸ＬＡから離間する方向へ開口している。
【００３２】
図３に示すように、第２側面部３ｆには、筐体３への吸気及び／又は筐体３からの排気を行うための複数の吸排気口３３が形成されている。また、背面部３ｄには、プロジェクター１と、電力供給源や他の機器とを接続するための種々の接続端子が配置されている。
【００３３】
筐体３は、例えば、下部ケース３７と、上部ケース３９とが組み合わされて構成されている。下部ケース３７は、底面部３ｂの全面、並びに、前面部３ｃ、背面部３ｄ、第１側面部３ｅ及び第２側面部３ｆの底面部３ｂ側の一部を構成する部材である。上部ケース３９は、上面部３ａの全面、並びに、前面部３ｃ、背面部３ｄ、第１側面部３ｅ及び第２側面部３ｆの上面部３ａ側の一部を構成する部材である。なお、前面部３ｃ、背面部３ｄ、第１側面部３ｅ及び第２側面部３ｆの大部分は、上部ケース３９により形成されている。上部ケース３９は、下部ケース３７に被せられる。上部ケース３９及び下部ケース３７は適宜な方法により互いに固定される。例えば、上部ケース３９及び下部ケース３７は、一方に設けられた係合部が他方に設けられた被係合部に係合したり、一方に挿通されたネジが他方に設けられたにネジボスに螺合させることにより互いに固定される。下部ケース３７及び上部ケース３９は、例えば、樹脂により形成されている。
【００３４】
図４は、プロジェクター１から上部ケース３９を取り外してプロジェクター１内部を示す斜視図である。図５は、図４の状態から更に複数の部品を取り外してプロジェクター１内部を示す斜視図である。
【００３５】
図４及び図５に示すように、プロジェクター１は、筐体３の内部において、複数の部品が立体的に配置されている。
【００３６】
図６は、図４の状態のプロジェクター１内部を示す平面図である。図７は、図５の状態のプロジェクター１内部を示す平面図である。ただし、図６及び図７では、図解を容易にするために、各種の部品が省略されたり、各種の部品の形状が簡略化されている。また、一部は断面図のように示している。
【００３７】
まず、図４〜図７を参照して、プロジェクター１における、画像を投射するための構成について概略を説明する。
【００３８】
図４及び図６に示すように、プロジェクター１は、光源ユニット４１と、光源ユニット４１からの光をレンズ鏡筒５へ導く光学ユニット４３と、光源ユニット４１を駆動制御する光源駆動ブロック４５と、光学ユニット４３を含むプロジェクター１全体を駆動制御する制御駆動ブロック４７とを有している。
【００３９】
レンズ鏡筒５及び制御駆動ブロック４７は、筐体３内の前面部３ｃ側（図４の紙面下方側、図６の紙面上方側）において、投射方向に対して並列に配置されている。なお、制御駆動ブロック４７は、筐体３の前面部３ｃに隣接して配置されている。光学ユニット４３及び光源ユニット４１は、光学ユニット４３がレンズ鏡筒５の背面部３ｄ側（図４の紙面上方側、図６の紙面下方側）に位置し、光源ユニット４１が制御駆動ブロック４７の背面部３ｄ側に位置するように、筐体３内の背面部３ｄ側において、投射方向に対して並列に配置されている。なお、光学ユニット４３はレンズ鏡筒５に隣接し、光源ユニット４１は制御駆動ブロック４７に隣接している。光源駆動ブロック４５は、光源ユニット４１の背面部３ｄ側に配置されている。なお、光源駆動ブロック４５は、光源ユニット４１に隣接するとともに、筐体３の背面部３ｄに隣接している。
【００４０】
光源ユニット４１は、ランプ４９（図６）と、ランプ４９を収容するランプハウス５１とを有している。
【００４１】
ランプ４９は、発光管５３と、発光管５３からの光を反射するリフレクタ５５とを有している。なお、発光管５３を光源と捉えることもできるし、ランプ４９を光源として捉えることもできるし、光源ユニット４１を光源として捉えることもできる。
【００４２】
発光管５３は、例えば、ハロゲンランプ、メタルハイドランプ、キセノンランプにより構成されている。リフレクタ５５は、例えば、横断面が円形、縦断面が概ねＵ字状に形成され、内側に反射面を有している。発光管５３は、大部分がリフレクタ５５内に配置されている。リフレクタ５５は、開口を光学ユニット４３側（図６の紙面右側）に向けて配置されている。
【００４３】
ランプハウス５１は、図６に示すように、平面視において台形状に形成されている。具体的には、平面視において、前面部３ｃ側（図６の紙面上方側）の、前面部３ｃに概ね平行な辺（第１ランプ側面部５１ｓ）と、レンズ鏡筒５とは反対側（図６の紙面左側）の第１側面部３ｅに概ね平行な辺（ランプ背面部５１ｔ）との角部が比較的大きく面取りされて、傾斜した辺（傾斜面部５１ｕ）が形成された形状となっている。図４に示すように、ランプハウスの高さ（上下方向の厚さ）は、筐体３の内部空間の高さ（底面部３ｂの内側面から上面部３ａの内側面までの高さ）に概ね等しい。
【００４４】
光学ユニット４３は、複数の光学部品（図４及び図６ではほとんど図示省略）と、複数の光学部品を保持する光学ユニットケース５７とを有している。光学ユニットケース５７は、図４及び図６に示すように、ランプハウス５１から投射方向に直交する方向（図４及び図６の紙面左右方向）へ延び、レンズ鏡筒５の背後側（図４の紙面上方側、図６の紙面下方側）に到達している。複数の光学部品は、光学ユニットケース５７内、光学ユニットケース５７とランプハウス５１との間、光学ユニットケース５７とレンズ鏡筒５との間に配置されている。
【００４５】
光源駆動ブロック４５は、一又は複数の回路基板５９（図６）と、回路基板５９を収容する光源駆動ブロックケース６１とを有している。回路基板５９には、各種のＩＣ等が実装され、発光管５３へ供給する電力を制御する電源回路が構成されている。光源駆動ブロックケース６１は、投射方向（図６の紙面上下方向）に薄い概ね直方体状に形成されている。図４及び図５に示すように、光源駆動ブロックケース６１の高さ（上下方向の厚さ）は、筐体３の内部空間の高さに概ね等しい。光源駆動ブロックケース６１は、筐体３の背面部３ｄに沿うように（投射方向に直交するように）に配置されている。回路基板５９は、筐体３の背面部３ｄに沿い、光源駆動ブロックケース６１の内側面から離間するように光源駆動ブロックケース６１内に配置されている。
【００４６】
制御駆動ブロック４７は、図４及び図６に示すように、一又は複数の回路基板６３（図６）と、回路基板６３を収容する制御駆動ブロックケース６５とを有している。回路基板６３には、各種のＩＣ等が実装され、後述する液晶表示パネルの動作を制御する制御回路やファンへ供給する電力を制御する電源回路が構成されている。制御駆動ブロックケース６５は、上下方向に薄い概ね直方体状に形成されている。制御駆動ブロックケース６５の高さ（上下方向の厚さ）は、筐体３の内部空間の高さの概ね半分程度である。制御駆動ブロックケース６５は、筐体３内において、後述するファンケース９９上に配置されることにより、筐体３の上面部３ａ側に配置されている。回路基板６３は、筐体３の上面部３ａに沿い、制御駆動ブロックケース６５の内側面から離間するように制御駆動ブロックケース６５内に配置されている。
【００４７】
次に、図４〜図７を参照して、プロジェクター１における、上記に説明した各種の部品を冷却するための構成について説明する。
【００４８】
図５及び図７に示すように、プロジェクター１は、筐体３の背面側（図５の紙面上方側、図７の紙面下方側）に配置された第１シロッコファン６７、第２シロッコファン６９と、第１シロッコファン６７及び第２シロッコファン６９からの空気を冷却対象へ導く第１導出ダクト７１と、筐体３の第１側面部３ｅ側（図５の紙面右側、図７の紙面左側）に配置された第１軸流ファン７３と、第１軸流ファン７３からの空気を筐体３の外部へ導く排気ダクト７５と、筐体３の前面側（図５の紙面下方側、図７の紙面上方側）に配置された第３シロッコファン７７と、第３シロッコファン７７からの空気を冷却対象へ導く第２導出ダクト７９と、第３シロッコファン７７のレンズ鏡筒５側に配置された第２軸流ファン８１とを有している。
【００４９】
第１シロッコファン６７は、図４〜図７に示すように、光学ユニット４３の背面側に隣接して配置されている。第１シロッコファン６７は、図５及び図７に示すように、羽根部８３と、羽根部８３を収容するファンケース８５とを有している。なお、図５では、羽根部８３の羽根を省略して図示している。羽根部８３は、投射方向を回転軸の方向としてファンケース８５に軸支されている。羽根部８３は、回転することにより、回転軸方向から吸気して径方向へ排気する。ファンケース８５は、羽根部８３の回転軸方向側、より具体的には、筐体３の前面側（図７の紙面上方側、光学ユニット４３側）が吸気可能に開口している。ファンケース８５は、羽根部８３を回転軸周りに囲む外周部において第１導出ダクト７１に連通している。第１シロッコファン６７（ファンケース８５）の高さ（上下方向の厚さ）は、筐体３の内部空間の高さと概ね同等である。
【００５０】
第２シロッコファン６９は、第１シロッコファン６７の背面部３ｄ側（図７の紙面下方側）に隣接して配置されている。また、第２シロッコファン６９は、筐体３の背面部３ｄに隣接して配置されている。第２シロッコファン６９は、第１シロッコファンと概ね同様の構成を有している。具体的には以下に例示するとおりである。第２シロッコファン６９は、図７に示すように、羽根部８７と、羽根部８７を収容するファンケース８９とを有している。羽根部８７は、投射方向を回転軸の方向としてファンケース８９に軸支されている。羽根部８７は、回転することにより、回転軸方向から吸気して径方向へ排気する。ファンケース８９は、羽根部８７の回転軸方向側、より具体的には、背面部３ｄ側が吸気可能に開口している。ファンケース８９は、羽根部８７を回転軸周りに囲む外周部において第１導出ダクト７１に連通している。第２シロッコファン６９（ファンケース８９）の高さ（上下方向の厚さ）は、筐体３の内部空間の高さと概ね同等である。
【００５１】
なお、図７に示すように、上述の筐体３の底面部３ｂに形成された複数の吸気口１９は、第１シロッコファン６７の吸気側の面に沿って配列されている。また、上述の筐体３の底面部３ｂに形成された複数の吸気口２１は、第２シロッコファン６９の吸気側の面に沿って配列されている。
【００５２】
第１導出ダクト７１は、第１シロッコファン６７及び第２シロッコファン６９からの空気を光源ユニット４１、光学ユニット４３の一部の光学部品、及び、光源駆動ブロック４５へ導くためのものである。具体的には以下に例示するとおりである。
【００５３】
第１導出ダクト７１は、一端が、上述のように、第１シロッコファン６７のファンケース８５及び第２シロッコファン６９のファンケース８９に接続されている。そして、図５及び図７に示すように、第１導出ダクト７１は、その一端から、光学ユニット４３側（筐体中央側）へ延びる第１分岐ダクト７１ａと、光源駆動ブロック４５側へ延びる第２分岐ダクト７１ｂとに分岐している。
【００５４】
第１分岐ダクト７１ａは、図５に示すように、筐体３の内部空間に対して底面側に配置され、図６及び図７から読解されるように、光学ユニット４３の下方側まで延びている。そして、図５及び図７に示すように、光学ユニット４３の下方側に位置する、第１分岐ダクト７１ａの端部には、上方側、すなわち、光学ユニット４３側へ開口する吹き出し口７１ｃが形成されている。吹き出し口７１ｃは、図６及び図７から読解されるように、平面視において、光学ユニットケース５７とランプハウス５１との間に位置している。吹き出し口７１ｃから吐出された空気は、光学ユニット４３の、光学ユニットケース５７とランプハウス５１との間に配置された光学部品に吹き付けられる。
【００５５】
第２分岐ダクト７１ｂは、図５及び図７に示すように、筐体３の背面部３ｄに沿って、光源駆動ブロック４５へ延びている。図５に示すように、第２分岐ダクト７１ｂの高さ（上下方向の厚さ）は、筐体３の内部空間の高さと概ね同等である。ただし、筐体内部側の一部には、筐体３の内部空間の高さよりも低い部分が形成されている。例えば、第１シロッコファン６７の下方側から上昇しつつ光源駆動ブロック４５へ延びる部分、第２シロッコファン６９の下方側から上下に拡径しつつ光源駆動ブロック４５へ延びる部分が形成されている。
【００５６】
図６に示すように、第２分岐ダクト７１ｂは、光源ユニット４１の背後側まで延びている。そして、図５に示すように、第２分岐ダクト７１ｂの光源ユニット４１に対向する側（筐体内部側、前面部３ｃ側）の面には、吹き出し口７１ｄが形成されている。ランプハウス５１の、吹き出し口７１ｄと対向する位置には、導入口５１ａ（図６）が形成されている。吹き出し口７１ｄから吐出された空気は、導入口５１ａを介してランプハウス５１内に導入される。ランプハウス５１には、第１軸流ファン７３側に排気口５１ｂ（図６）が形成されている。光源ユニット４１のランプ４９により熱せられた空気は、排気口５１ｂから排出され、第１軸流ファン７３側へ流れる。
【００５７】
図５及び図７に示すように、第２分岐ダクト７１ｂは、光源駆動ブロック４５の光源駆動ブロックケース６１に接続され、内部が連通している。従って、第２分岐ダクト７１ｂにより導かれた空気は、光源駆動ブロックケース６１内部へ導入される。光源駆動ブロックケース６１には、適宜な位置に、第２分岐ダクト７１ｂにより導入された空気を排出するための排気口が形成されている。例えば、第２分岐ダクト７１ｂとの接続位置とは反対側（図５の紙面右側、図６の紙面左側）において、筐体内部側に開口する不図示の排気口が形成されている。また、例えば、筐体３の底面部３ｂに対向する面に排気口が形成されている。なお、上述の筐体３の底面部３ｂに形成された複数の排気口２３は、光源駆動ブロック４５の下方側に位置している。
【００５８】
なお、第１シロッコファン６７のファンケース８５、第２シロッコファン６９のファンケース８９、第１導出ダクト７１、光源駆動ブロックケース６１は、これら全体が一体的に形成されたり、複数の部材が組み合わされて構成されたり、互いに一部が一体的に形成されるなどすることにより、適宜に構成されてよい。
【００５９】
また、第１導出ダクト７１は、吹き出し口７１ｃが形成される部分（第１分岐ダクト７１ａ）、吹き出し口７１ｄが形成される部分（第２分岐ダクト７１ｂの一部）、第２シロッコファン６９のファンケース８９に連通する部分（第２分岐ダクト７１ｂの一部）の全てが、第１シロッコファン６７のファンケース８５、第２シロッコファン６９のファンケース８９の双方に連通する（ひいては、全ての部分が互いに連通する）ものとして説明したが、第１導出ダクト７１のうち、一部の部分が一方のシロッコファンにのみ、他の部分が他方のシロッコファンにのみ連通するように構成されてもよい。
【００６０】
第１軸流ファン７３は、主として、光源ユニット４１により熱せられた空気を筐体３外部へ排出するためのものである。第１軸流ファン７３は、図４及び図６に示すように、光源ユニット４１に隣接して配置されている。具体的には、光源ユニット４１の第１側面部３ｅ側（図４の紙面右側、図６の紙面左側、投射レンズ６とは反対側）、且つ、光源ユニット４１の前面部３ｃ側（図４の紙面下方側、図６の紙面上方側）に隣接している。第１軸流ファン７３は、光源ユニット４１のランプハウス５１の傾斜面部５１ｕ（図６）に対向して配置されている。
【００６１】
第１軸流ファン７３は、羽根部９１（図６）と、羽根部９１を収容するファンケース９３とを有している。羽根部９１は、平面視において、投射方向に対して傾斜した方向を回転軸の方向としてファンケース９３に軸支されている。具体的には、羽根部９１は、回転軸が、光源ユニット４１側から、投射方向側、且つ、投射レンズ６の光軸ＬＡから離間する側へ延びるように、軸支されている。羽根部９１の回転軸は、例えば、投射方向に対して、約４５°の角度で傾斜している。羽根部９１は、回転することにより、回転軸方向の一方側（光源ユニット４１側）から吸気して、回転軸方向の他方側（筐体外部側）へ排気する。ファンケース９３は、羽根部９１の回転軸方向の両側が開口している。なお、ファンケース９３は、例えば、ケージ状に形成されている。第１軸流ファン７３（ファンケース９３）の高さ（上下方向の厚さ）は、筐体３の内部空間の高さと概ね同等である。
【００６２】
排気ダクト７５は、第１軸流ファン７３により送り出された空気を筐体３の外部へ導くためのものである。排気ダクト７５には、第１軸流ファン７３により空気が導入される導入口７５ａと、導入された空気を排出する導出口７５ｂとが形成されている。排気ダクト７５は、導入口７５ａから導出口７５ｂまで、全体として、概ね、投射方向側、且つ、投射レンズ６の光軸ＬＡから離間する方向へ延びている。ただし、導出口７５ｂは、導入口７５ａを、第１軸流ファン７３の回転軸方向へ投影した位置よりも、前面部３ｃ側（図６の紙面上方側）へずれている。すなわち、排気ダクト７５は、排気ダクト７５が設けられない場合に比較して、第１軸流ファン７３により送り出される空気を前面部３ｃ側へ導くように延びている。排気ダクト７５の高さ（上下方向の厚さ）は、筐体３の内部空間の高さと概ね同等である。
【００６３】
排気ダクト７５を平面視したときの具体的な形状は、以下に例示するとおりである。排気ダクト７５は、図６に示すように、第１軸流ファン７３側の端部においては、第１軸流ファン７３の回転軸方向へ若干延びる。すなわち、排気ダクト７５の、筐体３外部側（第１側面部３ｅ側、図６の紙面左側）の外部側面部７５ｃ、及び、筐体３内部側（レンズ鏡筒５側、図６の紙面右側）の内部側面部７５ｄとも、第１軸流ファン７３の回転軸方向に延びる。外部側面部７５ｃは、第１側面部３ｅに到達する。その位置から、外部側面部７５ｃは、屈曲して、第１側面部３ｅに沿って前面側（投射方向側、図６の紙面上方側）へ延びる。一方、内部側面部７５ｄは、中途で屈曲して、制御駆動ブロック４７の第１側面部３ｅ側（図６の紙面左側）の面に沿って前面側へ延び、更に、逆方向へ屈曲して、第１軸流ファン７３の回転軸方向（例えば投射方向に対して約４５°の角度）へ再度延びる。
【００６４】
外部側面部７５ｃは投射方向へ、内部側面部７５ｄは投射方向に対して傾斜して延びているから、両者の延長線は交差することになる。換言すれば、外部側面部７５ｃの、屈曲して前面側に延びる部分は、排気ダクト７５の導出側の端面を構成している。そして、外部側面部７５ｃには、導出口７５ｂが形成されている。具体的には、排気ダクト７５の外部側面部７５ｃの第１側面部３ｅ側（図６の紙面左側）且つ前面部３ｃ側（図６の紙面上方側）は、切り欠かれたような形状になっており、平面視においてＬ字の導出口７５ｂが形成されている。導出口７５ｂは、上述の、側面側排気部２７ｂに対向している。従って、導出口７５ｂから排出された空気は、側面側排気部２７ｂを介して筐体３外部へ輩出される。
【００６５】
図６に示すように、排気ルーバー２９の、側面側排気部２７ｂに配置された側面側ルーバー２９ｂの筐体３内部側には、内部ルーバー９５が設けられている。具体的には、内部ルーバー９５は、排気ダクト７５の導出口７５ｂに設けられている。内部ルーバー９５は、排気ダクト７５内において、導出口７５ｂに沿って配列された複数の内部側羽板９５ａを有している。内部側羽板９５ａは、側面側羽板２９ｄにより形成されるスリット３１ｂの開口方向に対して交差するように配置されている。すなわち、前面部３ｃ側（図６の紙面上方側）ほど、筐体内部側（図６の紙面右側）に位置するように配置されている。内部側羽板９５ａは、概ね排気ダクト７５の高さ（上下方向の厚さ）に亘る高さを有している。従って、光源ユニット４１等からの光は、スリット３１ｂへ直接的に入射しないようになっている。
【００６６】
排気ダクト７５は、図５に示すように、例えば、排気ダクト７５の上面部分及び側面部分の上方側を構成する上部部材７５ｅと、排気ダクト７５の側面部分の下方側及び底面部分を構成する下部部材７５ｆとが互いに固定されて構成されている。これらの固定は、例えばネジにより行われている。下部部材７５ｆは、筐体３の下部ケース３７にネジなどにより固定されている。内部ルーバー９５は、下部部材７５ｆの一部として一体成形されている。なお、排気ダクト７５や内部ルーバー９５の構成方法は、上記に限定されるものではなく、適宜に変更されてよい。例えば、排気ダクト７５の底面が筐体３の底面部３ｂによって構成されるなど、排気ダクト７５の一部が他の部材に共用されてもよい。
【００６７】
第３シロッコファン７７は、図４〜図７に示すように（ただし、図６では制御駆動ブロック４７に隠れて不図示）、制御駆動ブロック４７の下方側（底面部３ｂ側）に配置されている。換言すれば、制御駆動ブロック４７及び第３シロッコファン７７は、底面部３ｂ上に積層されている。第３シロッコファン７７は、図７に示すように、羽根部９７と、羽根部９７を収容するファンケース９９とを有している。羽根部９７は、上下方向を回転軸の方向としてファンケース９９に軸支されている。羽根部９７は、回転することにより、回転軸方向から吸気して径方向へ排気する。ファンケース９９は、羽根部９７の回転軸方向側、より具体的には、底面部３ｂ側が吸気可能に開口している。なお、底面部３ｂのファンケース９９に対向する位置には、上述のフィルター交換用蓋体１５に覆われた、後述する吸気口が開口している。ファンケース９９は、羽根部９７を回転軸周りに囲む外周部において第２導出ダクト７９に連通している。図５に示すように、第３シロッコファン７７（ファンケース９９）の高さ（上下方向の厚さ）は、筐体３の内部空間の高さの半分程度である。
【００６８】
第２導出ダクト７９は、第３シロッコファン７７からの空気を光学ユニット４３の光学部品へ導くためのものである。具体的には以下に例示するとおりである。
【００６９】
第２導出ダクト７９は、一端が、上述のように、第３シロッコファン７７のファンケース９９に接続されている。そして、図５及び図７に示すように、第２導出ダクト７９は、その一端から、概ね背面部３ｄ側（図５の紙面上方側、図７の紙面下方側）に若干延びた後、背面部３ｄ側へ延びる第３分岐ダクト７９ａ（図５では、第２軸流ファン８１に隠れてほとんど不図示。）と、第２側面部３ｆ側（図５の紙面左側、図７の紙面右側）へ延びる第４分岐ダクト７９ｂとに分岐している。
【００７０】
第３分岐ダクト７９ａは、第３シロッコファン７７のファンケース９９と同等の高さ（上下方向の厚さ）を有し、筐体３の内部空間の底面側において延びている。第３分岐ダクト７９ａの端部は、図６及び図７から読解されるように、光学ユニット４３の、光源ユニット４１側の端部の下方側に到達している。そして、図５及び図７に示すように、第３分岐ダクト７９ａの端部には、上方側、すなわち、光学ユニット４３側へ開口する吹き出し口１０１が形成されている。吹き出し口１０１は、図７に示すように、光の入射側の吹き出し口１０２ＩＮと、光の出射側の吹き出し口１０２ＯＵＴとを有している。吹き出し口１０１は、図６及び図７から読解されるように、平面視において、光学ユニットケース５７と光源ユニット４１のランプハウス５１との間に位置している。吹き出し口１０１から吐出された空気は、光学ユニット４３の、光学ユニットケース５７とランプハウス５１との間に配置された光学部品に吹き付けられる。
【００７１】
第４分岐ダクト７９ｂは、第３シロッコファン７７のファンケース９９と同等の高さ（上下方向の厚さ）を有し、筐体３の内部空間の底面側において延びている。第４分岐ダクト７９ｂの端部は、図６及び図７から読解されるように、光学ユニット４３の、レンズ鏡筒５側の端部の下方側に到達している。そして、図５及び図７に示すように、第４分岐ダクト７９ｂの端部には、上方側、すなわち、光学ユニット４３側へ開口する３つの吹き出し口１０３Ｒ（図５においては隠れて不図示）、１０３Ｇ、１０３Ｂが形成されている。吹き出し口１０３は、図６及び図７から読解されるように、平面視において、光学ユニットケース５７とレンズ鏡筒５との間に位置している。吹き出し口１０３から吐出された空気は、光学ユニット４３の、光学ユニットケース５７とレンズ鏡筒５との間に配置された光学部品に吹き付けられる。
【００７２】
第２軸流ファン８１は、制御駆動ブロック４７へ送風して制御駆動ブロック４７を冷却するためのものである。第２軸流ファン８１は、図４及び図６に示すように、制御駆動ブロック４７に隣接して配置されている。具体的には、第２軸流ファン８１は、制御駆動ブロック４７と、レンズ鏡筒５との間の比較的狭い隙間に配置されており、制御駆動ブロック４７のレンズ鏡筒５側に対向及び隣接するとともに、レンズ鏡筒５の制御駆動ブロック４７側に対向及び隣接している。
【００７３】
第２軸流ファン８１は、羽根部１０５（図４及び図５においては、羽根部１０５のうち羽根が固定される軸部のみ示す。）と、羽根部１０５を収容するファンケース１０７を有している。羽根部１０５は、平面視において、投射方向に対して概ね直交する方向を回転軸の方向としてファンケース１０７に軸支されている。羽根部１０５は、回転することにより、回転軸方向の一方側（レンズ鏡筒５側）から吸気して、回転軸方向の他方側（制御駆動ブロック４７側）へ排気する。ファンケース１０７は、羽根部１０５の回転軸方向の両側が開口している。第２軸流ファン８１（ファンケース１０７）の高さ（上下方向の厚さ）は、筐体３の内部空間の高さと概ね同等である。
【００７４】
制御駆動ブロックケース６５は、第２軸流ファン８１に対向する面に開口６５ａ（図６）が形成されるとともに、第１側面部３ｅ側（図４の紙面右側、図６の紙面左側）の面に開口６５ｂが形成されている。第２軸流ファン８１により送り出された空気は、開口６５ａを介して制御駆動ブロックケース６５内に導入され、開口６５ｂを介して制御駆動ブロックケース６５外へ排出される。
【００７５】
開口６５ｂの外部側、且つ、筐体３の内部側は、開口６５ｂから排出された空気を前面側排気部２７ａに導くことが可能に形成されている。具体的には、第２導出ダクト７９の内部側面部７５ｄのうち、筐体外部側の内部側面先端部７５ｈが、開口６５ｂからの排出方向に対して傾斜して配置されており、開口６５ｂからの側面側排気部２７ｂへの流れを遮断するとともに、開口６５ｂからの空気の流れを前面側排気部２７ａ側へ変化させている。
【００７６】
なお、開口６５ｂの外部側、且つ、筐体３の内部側において、流路の上面は、筐体３の上面部３ａにより構成されている。上記の流路の下面は、図５に示すように、排気ダクト７５の下部部材７５ｆの底面構成部７５ｊにより構成されている。上記の流路の、開口６５ｂの直下の面は、下部部材７５ｆの壁部７５ｇにより構成されている。なお、上記の流路は、上記の構成方法に限定されるものではなく、適宜に変更されてよい。例えば、底面は、筐体３の底面部３ｂによって構成されてもよいし、壁部７５ｇが省略されて、第３シロッコファン７７のファンケース９９が上記の流路の一部を構成してもよい。
【００７７】
図８は、プロジェクター１の光学系の概略構成を示す平面図である。なお、図８において、光学ユニット４３の光学部品は、代表的なもののみが抽象化して例示されている。光学ユニット４３では、図８に示した以外にも適宜な光学部品が配置されてよく、また、図８に示した光学部品は適宜に変更、省略されてよい。
【００７８】
光学ユニット４３は、光源ユニット４１のランプハウス５１と、光学ユニットケース５７との間に、フライアイレンズ１０８と、ＰＳ変換素子１０９とを有している。ランプ４９からの光は、フライアイレンズ１０８により均一化され、その均一化された光は、ＰＳ変換素子１０９により偏光方向が揃えられる。
【００７９】
光学ユニット４３は、光学ユニットケース５７内に、ＰＳ変換素子１０９からの光をＲ、Ｇ、Ｂの各色の光に分離して、光学ユニットケース５７のレンズ鏡筒５側の端部へ導くための複数の光学部品が配置されている。具体的には以下に例示するとおりである。
【００８０】
ＰＳ変換素子１０９からの光は、ダイクロックミラー１１０により、Ｂ光が反射されるとともに、残りの光が透過される。反射されて投射方向（図８の紙面上方側）へ向かったＢ光は、反射ミラー１１１により反射されて投射方向に直交する方向へ進み、集光レンズ１１３により平行化されて光学ユニットケース５７から出射される。
【００８１】
ダイクロックミラー１１０により透過された光は、ダイクロックミラー１１５により、Ｇ光が反射されるとともに、Ｒ光が透過される。反射されて投射方向へ向かったＢ光は、集光レンズ１１７により平行化されて光学ユニットケース５７から出射される。
【００８２】
ダイクロックミラー１１０により透過されたＲ光は、リレーレンズ１１９を透過し、反射ミラー１２１により反射されて投射方向へ向かい、リレーレンズ１２３を透過し、反射ミラー１２５により反射されて投射方向に直交する方向へ進み、集光レンズ１２７により平行化されて光学ユニットケース５７から出射される。
【００８３】
光学ユニット４３は、光学ユニットケース５７とレンズ鏡筒５との間に、入射側偏光板１２９Ｒ、１２９Ｇ、１２９Ｂと、ライトバルブとしての液晶パネル１３１Ｒ、１３１Ｇ、１３１Ｂと、出射側偏光板１３３Ｒ、１３３Ｇ、１３３Ｂと、クロスプリズム１３５とを有している。
【００８４】
光学ユニットケース５７から出射された光は、入射側偏光板１２９により所定の偏光方向の光が透過され、液晶パネル１３１により変調され、出射側偏光板１３３により所定の偏光方向の光が透過され、クロスプリズム１３５に入射する。クロスプリズム１３５は、各色に対応する出射側偏光板１３３からの光を合成し、レンズ鏡筒５へ出射する。
【００８５】
なお、液晶パネル１３１は、制御駆動ブロック４７の回路基板６３において構成された電子回路から、所定の画像データに基づく映像信号が入力され、その映像信号に応じて液晶分子の配列方向を変化させることにより、液晶パネル１３１に入射した光を変調する。
【００８６】
レンズ鏡筒５に入射した光は、投射レンズ６により不図示のスクリーンへ投射される。これにより、クロスプリズム１３５により合成された画像は、スクリーンに拡大表示される。なお、図８では、投射レンズ６が複数枚のレンズを有するレンズ群により構成されている場合を例示している。
【００８７】
以上の概略構成を有するプロジェクター１における、空気の流れを説明する。
【００８８】
図７において、矢印ｙ１で示すように、第１シロッコファン６７が回転すると、複数の吸気口１９を介して筐体３外部から筐体３内部へ空気が導入される。導入された空気は、第１シロッコファン６７に対して、その回転軸方向へ流れ込む。また、矢印ｙ３で示すように、第２シロッコファン６９が回転すると、複数の吸気口２１を介して筐体３外部から筐体３内部へ空気が導入される。導入された空気は、第２シロッコファン６９に対して、その回転軸方向へ流れ込む。第１シロッコファン６７及び第２シロッコファン６９に流れ込んだ空気は、矢印ｙ５及びｙ７で示すように、第１導出ダクト７１へ送り込まれる。
【００８９】
第１導出ダクト７１へ送り込まれた空気の一部は、矢印ｙ９で示すように、第１分岐ダクト７１ａに流れ込み、吹き出し口７１ｃから吐出される。吐出された空気は、ＰＳ変換素子１０９（図８）等の、ランプハウス５１（図６等）と光学ユニットケース５７（図６等）との間に配置された光学部品に吹き付けられ、これらの光学部品を冷却する。
【００９０】
第１導出ダクト７１へ送り込まれた空気の他の一部は、矢印ｙ１１で示すように、第２分岐ダクト７１ｂに流れ込む。図６において、矢印ｙ１３で示すように、第２分岐ダクト７１ｂに流れ込んだ空気の一部は、吹き出し口７１ｄ（図５）から吐出され、導入口５１ａを介してランプハウス５１内に導入される。第２分岐ダクト７１ｂに流れ込んだ空気の他の一部は、矢印ｙ１５で示すように、光源駆動ブロックケース６１内に導入される。
【００９１】
矢印ｙ１７で示すように、ランプハウス５１内に導入された空気は、ランプハウス５１内を流れてランプ４９を冷却した後、ランプハウス５１から排出され、第１軸流ファン７３に吸い込まれる。第１軸流ファン７３に吸い込まれた空気は、矢印ｙ１９で示すように、排気ダクト７５により、筐体３の、前面部３ｃと第１側面部３ｅとが交差する角部側へ導かれ、内部ルーバー９５を通過するとともに側面側ルーバー２９ｂを通過する。側面側ルーバー２９ｂを通過した空気は、投射方向側、且つ、投射レンズ６の光軸ＬＡから離間する方向（例えば投射方向に対して約４５°傾斜した方向）へ、排出される。
【００９２】
光源駆動ブロックケース６１内に導入された空気は、光源駆動ブロックケース６１内を流れて回路基板５９を冷却する。回路基板５９冷却後の空気は、矢印ｙ２１に示すように、光源駆動ブロックケース６１の、第１側面部３ｅ側に形成された不図示の開口を介して光源駆動ブロックケース６１から排出される。そして、ランプハウス５１から排出された空気と同様に、第１軸流ファン７３により筐体３外部へ排出される。又は、回路基板５９冷却後の空気は、光源駆動ブロックケース６１の、底面部３ｂ側に形成された不図示の開口を介して光源駆動ブロックケース６１から排出され、複数の排気口２３（図２）を介して筐体３外部へ排出される。
【００９３】
第３シロッコファン７７（図７）が回転すると、筐体３外部の空気が筐体３の底面部３ｂの後述する吸気口から筐体３内部へ導入される。導入された空気は、第３シロッコファン７７へ、その回転軸方向に流れ込み、図７において矢印ｙ２３で示すように、第３シロッコファン７７の径方向外周部に接続された第２導出ダクト７９に送り込まれる。
【００９４】
第２導出ダクト７９に送り込まれた空気の一部は、矢印ｙ２５で示すように、第３分岐ダクト７９ａに流れ込み、吹き出し口１０１から吐出される。吐出された空気は、ＰＳ変換素子１０９（図８）等の、ランプハウス５１（図６等）と光学ユニットケース５７（図６等）との間に配置された光学部品に吹き付けられ、これらの光学部品を冷却する。
【００９５】
第２導出ダクト７９に送り込まれた空気の他の一部は、矢印ｙ２７で示すように、第４分岐ダクト７９ｂに流れ込み、吹き出し口１０３から吐出される。吐出された空気は、入射側偏光板１２９、液晶パネル１３１、出射側偏光板１３３（図８）等の、レンズ鏡筒５（図６等）と光学ユニットケース５７（図６等）との間に配置された光学部品に吹き付けられ、これらの光学部品を冷却する。
【００９６】
図６において、矢印ｙ２９で示すように、第２軸流ファン８１が回転すると、レンズ鏡筒５の周囲等の空気が、第２軸流ファン８１に対して、その回転軸方向へ流れ込む。なお、この際、筐体３外部の空気が筐体３の底面部３ｂの後述する吸気口から筐体３内部へ導入される。第２軸流ファン８１に流れ込んだ空気は、矢印ｙ３１で示すように、第２軸流ファン８１により、開口６５ａを介して制御駆動ブロックケース６５内へ送り込まれ、回路基板６３を冷却する。回路基板６３を冷却した空気は、矢印ｙ３３で示すように、開口６５ｂを介して制御駆動ブロックケース６５から排出される。排出された空気は、排気ダクト７５の内部側面先端部７５ｈ等により前面側ルーバー２９ａに導かれ、前面側ルーバー２９ａを通過する。前面側ルーバー２９ａを通過した空気は、投射方向側、且つ、投射レンズ６の光軸ＬＡから離間する方向（例えば投射方向に対して約４５°傾斜した方向）へ、排出される。
【００９７】
なお、排気ダクト７５は、図６及び図７に示すように、部品の空冷に利用される第１空気流路ＡＦＲ１を構成している。第１空気流路ＡＦＲ１は、導入口７５ａを始端とし、側面側排気部２７ｂを終端としている。側面側排気部２７ｂは、導入口７５ａに対して、投射方向側、且つ、投射レンズ６の光軸ＬＡから離間する方向側に位置しているから、第１空気流路ＡＦＲ１は、投射方向側、且つ、投射レンズ６の光軸ＬＡから離間する方向側に延びているといえ、また、少なくとも投射方向側へ延びているといえる。第１空気流路ＡＦＲ１は、投射方向に沿う側面（第１側面部３ｅ）側において延びている。
【００９８】
また、制御駆動ブロックケース６５と、制御駆動ブロックケース６５の第１側面部３ｅ側（図６の紙面左側）における各種の部材（排気ダクト７５の内部側面先端部７５ｈ、筐体３の上面部３ａ、下部部材７５ｆの底面構成部７５ｊ（図４）、下部部材７５ｆの壁部７５ｇ（図４））とは、部品の空冷に利用される第２空気流路ＡＦＲ２を構成している。第２空気流路ＡＦＲ２は、開口６５ａを始点とし、前面側排気部２７ａを終点としている。第２空気流路ＡＦＲ２は、筐体３内の、前面部３ｃ側（投射方向側）において、投射レンズ６側から第２空気流路ＡＦＲ２が配された第１側面部３ｅ側へ延びている。
【００９９】
第１空気流路ＡＦＲ１及び第２空気流路ＡＦＲ２は、互いに異なる方向に延び、下流端において隣接している。そして、排気ダクト７５の内部側面部７５ｄや排気ルーバー２９の作用により、投射方向側、且つ、投射レンズ６の光軸ＬＡから離間する側の方向へ、ランプ４９や制御駆動ブロック４７の回路基板６３により熱せられた空気を排気可能である。
【０１００】
図９〜図１１を参照して、光源ユニット４１の構成を説明し、その後、光源ユニット４１内部における空気の流れを説明する。
【０１０１】
図９は、光源ユニット４１を示す透視図である。図９は、第１軸流ファン７３側且つ筐体３の上面部３ａ側から見た斜視図である。
【０１０２】
光源ユニット４１は、上述したランプ４９及びランプハウス５１と、ランプ４９をランプハウス５１に対して着脱するための保持部材１３７と、ランプハウス５１の排気口５１ｂの開口面積を調整するための調整機構１３８とを有している。
【０１０３】
ランプハウス５１は、筐体３の底面部３ｂ側（図９の紙面下方側）の面が開放され、開放部５１ｘが形成されている。ランプハウス５１は、上述のように、平面視において台形状に形成されている。ただし、ランプ４９が対向する面は開放されており、開放部５１ｗが形成されている。ランプハウス５１の、筐体３の背面部３ｄ側（図９の紙面右側）の第２ランプ側面部５１ｖには、開放部５１ｗ側に、上述した導入口５１ａが形成されている。
【０１０４】
上述した排気口５１ｂは、ランプハウス５１の、筐体３の前面部３ｃ側（図９の紙面左側）の第１ランプ側面部５１ｓと、第１ランプ側面部５１ｓに連続する傾斜面部５１ｕとに亘って形成されており、第１ランプ側面部５１ｓに形成された側面側排気口５１ｃと、傾斜面部５１ｕに形成された傾斜面側排気口５１ｄとを有している。側面側排気口５１ｃは、第１ランプ側面部５１ｓの傾斜面部５１ｕ側に形成されている。傾斜面側排気口５１ｄは、傾斜面部５１ｕの略全面に亘って形成されている。
【０１０５】
排気口５１ｂの上下方向の径は、排気口５１ｂがランプ４９の中央よりも上方側から中央よりも下方側に亘るように設定されている。具体的には、排気口５１ｂは、ランプ４９の概ね上端から下端に亘る大きさを有している。なお、ランプハウス５１は、ランプ４９を収容可能な大きさであって、種々の目的に照らして必要最小限の大きさに設定されているから、排気口５１ｂは、ランプハウス５１の上端付近から下端付近に亘って開口している。側面側排気口５１ｃ及び傾斜面側排気口５１ｄの上下方向の径は、異なっていてもよいが、本実施形態では、同一の場合について例示している。
【０１０６】
なお、排気口５１ｂは、一の開口により構成されるものであってもよいし、複数のスリットにより構成されるものであってもよいし、縦横に配置された格子の複数の隙間やパンチグメタルの複数の開口のような適宜な大きさの複数の開口により構成されるものであってもよい。なお、図９では、排気口５１ｂの範囲を分かりやすく図示するために、上下方向に延びる格子により形成された複数のスリットにより、排気口５１ｂが構成されている場合を例示している。
【０１０７】
保持部材１３７は、ランプ４９の、筐体３の底面部３ｂ側（図９の紙面下方側）に配置される保持基部１３７ａと、保持基部１３７ａともにランプ４９のリフレクタ５５の外周を囲む第１保持側面部１３７ｂ、保持上面部１３７ｃ、第２保持側面部１３７ｄと、リフレクタ５５の開口を塞ぐ保持前面部１３７ｅ（図１１参照）を有している。
【０１０８】
保持基部１３７ａは、平面視においてランプ４９よりも広い面積を有する板状部材により構成されている。保持上面部１３７ｃは、リフレクタ５５の上方側を、少なくともリフレクタ５５の開口側において覆っている。
【０１０９】
第１保持側面部１３７ｂは、リフレクタ５５の、第２ランプ側面部５１ｖ側を、少なくともリフレクタ５５の開口側において覆っている。第１保持側面部１３７ｂには、導入口５１ａからの空気をリフレクタ５５内へ導くための導入口１３７ｆが形成されている。
【０１１０】
第２保持側面部１３７ｄは、リフレクタ５５の、第１ランプ側面部５１ｓ側を、少なくともリフレクタ５５の開口側において覆っている。第２保持側面部１３７ｄには、リフレクタ５５内の空気を排出するための排気口１３７ｇが形成されている。
【０１１１】
保持前面部１３７ｅには、発光管５３がリフレクタ５５内部で生じた光を透過させるための開口１３７ｈ（図１１参照）が形成されている。開口１３７ｈは、透光部材１３７ｊ（図１１参照）により塞がれている。
【０１１２】
ランプ４９は、係合部やネジ等の適宜な手段により保持部材１３７に固定されている。ランプ４９を保持した保持部材１３７は、ランプハウス５１の開放部５１ｘからランプハウス５１内に収納され、係合部やネジ等の適宜な手段によりランプハウス５１に対して固定されている。
【０１１３】
なお、図６及び図７から読解されるように、筐体３の底面部３ｂには、光源ユニット４１（図６）の直下に、ランプ交換用蓋体１７（図７）により塞がれたランプ交換用開口３ｇ（図７）が形成されている。ランプ交換用蓋体１７は、例えば、係合部及びネジにより筐体３の底面部３ｂに固定されており、底面部３ｂに対して着脱可能である。ランプ４９の交換の際には、ランプ交換用蓋体１７が底面部３ｂから取り外される。そして、ランプ４９を保持した保持部材１３７は、ランプ交換用開口３ｇを介して、筐体３へ出し入れされ、筐体３内のランプハウス５１に対して着脱される。
【０１１４】
調整機構１３８は、載置状態において、排気口５１ｂの上方側の開口面積が下方側の開口面積よりも大きくなり、吊り状態において、排気口５１ｂの上方側（載置状態の下方側）の開口面積が下方側（載置状態の上方側）の開口面積よりも大きくなるように、排気口５１ｂの開口面積を調整するものである。
【０１１５】
調整機構１３８は、側面側排気口５１ｃの一部を塞ぐ調整部材１３９と、調整部材１３９を移動可能に保持するガイド部１４１Ａ、１４１Ｂ（以下、Ａ、Ｂを省略することがある。）とを有している。
【０１１６】
調整部材１３９は、側面側排気口５１ｃの開口面積を調整する側面側調整部１３９ａと、傾斜面側排気口５１ｄの開口面積を調整する傾斜面側調整部１３９ｂとを有している。側面側調整部１３９ａは、第１ランプ側面部５１ｓに沿う板状に形成されており、傾斜面側調整部１３９ｂは、傾斜面部５１ｕに沿う板状に形成されている。調整部材１３９は、全体として、屈曲した板状に形成されている。
【０１１７】
調整部材１３９の幅（水平方向）は、排気口５１ｂに亘る大きさに設定されている。すなわち、側面側調整部１３９ａの幅は、側面側排気口５１ｃの水平方向の径以上であり、傾斜面側調整部１３９ｂの幅は、傾斜面側排気口５１ｄの水平方向の径以上である。調整部材１３９の上下方向の長さは、排気口５１ｂよりも小さい。例えば、調整部材１３９の上下方向の長さは、排気口５１ｂの上下方向の径の半分程度、及び／又は、ランプハウス５１の上下方向の厚さの半分程度である。
【０１１８】
ガイド部１４１は、調整部材１３９を、ランプハウス５１に対して上下方向に移動可能に保持している。ガイド部１４１は、調整部材１３９の水平方向の両端部に位置し、上下方向に延びている。ガイド部１４１は、ランプハウス５１の外周面（具体的には傾斜面部５１ｕ、第１ランプ側面部５１ｓ）との間に、調整部材１３９を挿入可能な隙間を形成している。調整部材１３９は、ガイド部１４１とランプハウス５１との隙間に挿入されることにより、ランプハウス５１に対して、上下方向にスライド可能に取り付けられている。
【０１１９】
図１０は、ランプ４９の斜視図である。
【０１２０】
リフレクタ５５は、発光管５３を収納する凹状部５５ａと、凹状部５５ａの開口縁部に形成された鍔部５５ｂとを有している。
【０１２１】
凹状部５５ａの内面は、反射面であり、開口側ほど拡径するように形成されている。鍔部５５ｂは、凹状部５５ａの開口縁部全周に亘って外周側へ突出している。ランプ４９が保持部材１３７に取り付けられた際には、鍔部５５ｂの前面（図１０の紙面手前側の面）は、保持部材１３７の保持前面部１３７ｅ又は透光部材１３７ｊに、当接又は微小隙間で隣接する。従って、凹状部５５ａの開口は基本的には保持部材１３７により塞がれることになる。
【０１２２】
凹状部５５ａの開口側には、空気を導入及び／又は排出するための適宜な孔部が形成されている。例えば、凹状部５５ａの図１０の左側には、ランプハウス５１の導入口５１ａ及び保持部材１３７の導入口１３７ｆを介して流入した空気を凹状部５５ａ内部へ導入するための導入口５５ｃが形成されている。また、凹状部５５ａの、導入口５１ａに対向する位置（図１０の右側）には、凹状部５５ａ内部の空気を凹状部５５ａ外部へ排出するための排気口５５ｄが形成されている。凹状部５５ａの外側において、凹状部５５ａの導入口５５ｃは保持部材１３７の導入口１３７ｆに対向し、凹状部５５ａの排気口５５ｄは保持部材１３７の排気口１３７ｇに対向している。
【０１２３】
図１１は、調整部材１３９の位置の変化を説明する概念図である。図１１（ａ）は、載置状態における光源ユニット４１周辺の断面図である。図１１（ｂ）は、載置状態とは天地が逆になった吊り状態における光源ユニット４１周辺の断面図である。
【０１２４】
なお、図１１は、概念図であり、図解を容易にするために、適宜な部材を省略したり、部材の形状や配置位置を簡略化する等、他の図面に対して適宜な変更を加えて示している。例えば、排気口５１ｂは、ランプ４９の背後に配置されるとともに、水平方向の格子により上下方向において区切られている。
【０１２５】
図１１（ａ）に示すように、載置状態において、調整部材１３９は、自重により、ランプハウス５１に対して、筐体３の底面部３ｂ側に位置している。従って、調整部材１３９は、排気口５１ｂのうち、載置状態において下方側となる部分を塞ぐ。
【０１２６】
図１１（ｂ）に示すように、プロジェクター１の天地が逆にされると、調整部材１３９は、自重により、ランプハウス５１に対して、筐体３の上面部３ａ側に移動する。従って、調整部材１３９は、排気口５１ｂのうち、吊り状態において下方側となる部分を塞ぐ。
【０１２７】
なお、調整部材１３９は、載置状態及び吊り状態において、適宜な部材に当接して位置決めされる。例えば、調整部材１３９は、載置状態においては筐体３の底面部３ｂに当接し、吊り状態においては筐体３の上面部３ａに当接する。なお、適宜な部材の適宜な位置に、載置状態又は吊り状態において調整部材１３９を位置決めする位置決め部が設けられてもよい。
【０１２８】
以上の構成を有する光源ユニット４１においては、以下のように空気が流れる。
【０１２９】
図９において矢印ｙ４１で示すように、ランプハウス５１の導入口５１ａから導入された空気は、保持部材１３７の導入口１３７ｆ及びリフレクタ５５の導入口５５ｃ（図１０）を介してリフレクタ５５内に導入され、発光管５３やリフレクタ５５を冷却する。発光管５３やリフレクタ５５を冷却した空気は、矢印ｙ４３で示すように、リフレクタ５５の排気口５５ｄ（図１０）及び保持部材１３７の排気口１３７ｇを介してリフレクタ５５の外部へ排出される。
【０１３０】
リフレクタ５５の外部へ排出された空気は、矢印ｙ４５で示すように、排気口５１ｂからランプハウス５１の外部へ排出される。なお、この際、上述した第１軸流ファン７３の吸引力が、ランプハウス５１からの空気の排出に寄与する。
【０１３１】
図１１（ａ）に示すように、プロジェクター１が載置状態で使用されている場合には、排気口５１ｂの、筐体３の底面部３ｂ側（載置状態における下方側）は、調整部材１３９により塞がれていることから、ランプハウス５１内の空気は、排気口５１ｂの、筐体３の上面部３ａ側（載置状態における上方側）から排出される。
【０１３２】
一方、図１１（ｂ）に示すように、プロジェクター１が吊り状態で使用されている場合には、排気口５１ｂの、筐体３の上面部３ａ側（吊り状態における下方側）は、調整部材１３９により塞がれていることから、ランプハウス５１内の空気は、排気口５１ｂの、筐体３の底面部３ｂ側（吊り状態における上方側）から排出される。
【０１３３】
ランプハウス５１内においては、上方側ほど温度が高くなる傾向にあるが、載置状態においても吊り状態においても、各状態における上方側からランプハウス内の排気を行うことから、ランプハウス５１内の温度の上下バランスが均等になりやすく、ひいては、載置状態と吊り状態との間の温度の上下バランスが均等になりやすい。
【０１３４】
なお、ランプハウス５１の導入口５１ａと、保持部材１３７の導入口１３７ｆとの間には、リフレクタ５５内へ導入される空気の方向を適宜なものとするためのダクトが設けられてもよい。また、保持部材１３７の導入口１３７ｆを、リフレクタ５５の導入口５５ｃよりも若干径を大きくしたり、ランプ４９後方側へ若干位置をずらすなどし、導入口１３７ｆから導入された空気の一部がリフレクタ５５の背後へ流れるようするなど、光源ユニット４１における空気の流れは適宜に変更されてよい。
【０１３５】
図１２及び図１３を参照して、吹き出し口１０３からの光学ユニット４３の光学部品への空気の吹き付けについて説明する。
【０１３６】
図１２（ａ）は、吹き出し口１０３付近の拡大斜視図である。図１２（ｂ）は、吹き出し口１０３の拡大平面図である。
【０１３７】
吹き出し口１０３は、入射側偏光板１２９、液晶パネル１３１、出射側偏光板１３３の、各色間における温度上昇の比率等の、各色毎の特徴に応じて、適宜な形状及び面積に形成されている。具体的には、以下に例示するとおりである。
【０１３８】
吹き出し口１０３の開口面積は、Ｒ、Ｇ、Ｂの順に徐々に大きくなるように設定されている。開口面積の比は、例えば、入射側偏光板１２９、液晶パネル１３１、出射側偏光板１３３の、各色間の温度上昇比率に概ね等しく設定されている。
【０１３９】
吹き出し口１０３Ｒは、Ｒ光の進行方向（図１２（ｂ）の紙面左右方向）に対して直交する辺及び平行する辺を有する矩形に形成されている。
【０１４０】
吹き出し口１０３Ｇは、全体として、Ｇ光の進行方向（図１２（ｂ）の紙面上下方向）に対して直交する辺及び平行する辺を有する矩形に形成されている。また、吹き出し口１０３Ｇは、Ｇ光の進行方向に直交する仕切り部１４３Ｇにより仕切られており、入射側吹き出し口１０４Ｇ−ＩＮ及び出射側吹き出し口１０４Ｇ−ＯＵＴ（以下、他の構成も含め、入射側、出射側を示す、ＩＮ、ＯＵＴの付加記号を省略することがある。）を有している。仕切り部１４３Ｇは、例えば、液晶パネル１３１Ｇの下方に位置している。吹き出し口１０４Ｇは、矩形に形成されている。
【０１４１】
吹き出し口１０３Ｂは、全体として、Ｂ光の進行方向（図１２（ｂ）の紙面左右方向）に対して直交する辺及び平行する辺を有する矩形の、出射側の角部が面取りされた６角形に形成されている。また、吹き出し口１０３Ｂは、Ｂ光の進行方向に直交する仕切り部１４３Ｂにより仕切られており、入射側吹き出し口１０４Ｂ−ＩＮ及び出射側吹き出し口１０４Ｂ−ＯＵＴを有している。仕切り部１４３Ｂは、例えば、液晶パネル１３１Ｂの下方に位置している。入射側吹き出し口１０４Ｂ−ＩＮは、Ｂ光の進行方向に対して直交する辺及び平行する辺を有する矩形に形成されている。出射側吹き出し口１０４Ｂ−ＯＵＴは、Ｂ光の進行方向に対して直交する長辺及び短辺を有し、出射側を短辺とする台形に形成されている。
【０１４２】
第４分岐ダクト７９ｂは、吹き出し口１０３Ｒ、１０３Ｇ、１０３Ｂをそれぞれ構成するノズル１４５Ｒ、１４５Ｇ、１４５Ｂを有している。なお、図１２（ｂ）に示すように、ノズル１４５Ｇは、吹き出し口１０４Ｇ−ＩＮを構成するノズル１４６Ｇ−ＩＮ、吹き出し口１０４Ｇ−ＯＵＴを構成するノズル１４６Ｇ−ＯＵＴを有し、ノズル１４５Ｂは、吹き出し口１０４Ｂ−ＩＮを構成するノズル１４６Ｂ−ＩＮ、吹き出し口１０４Ｂ−ＯＵＴを構成するノズル１４６Ｂ−ＯＵＴを有する。換言すれば、ノズル１４５Ｇ及びノズル１４５Ｂは、仕切り部１４３を一部に含む。ノズル１４５は、例えば、第４分岐ダクト７９ｂと一体成形されている。ノズル１４５は、例えば、樹脂により構成されている。
【０１４３】
ノズル１４５には、ノズル１４５が振動しやすくなるように、図１３においては不図示の複数の切り込みが形成されている。ノズル１４５が振動することにより、吹き出し口１０４から吹き出される空気の流れは、層流から乱流に遷移しやすくなる。空気の流れが層流から乱流に遷移すると、空気と光学部品との熱交換の効率が上がる。切り込みは、具体的には、以下に例示するように形成されている。
【０１４４】
図１３（ａ）は、吹き出し口１０３Ｒの平面図である。なお、図１３（ａ）の紙面上下左右方向は、図１２（ｂ）の紙面上下左右方向と同一である。
【０１４５】
ノズル１４５Ｒは、Ｒ光の進行方向に沿う２つの平行壁部１４７Ｒと、Ｒ光の進行方向に交差する２つの直交壁部１４９Ｒとから構成されている。ノズル１４５Ｒには、これら４つの壁部を分割するように、４つの切り込み１５１Ｒが形成されている。従って、各壁部は、壁部に直交する方向へ揺動（振動）可能となっている。
【０１４６】
とりわけ、切り込み１５１Ｒは、Ｒ光の進行方向に沿って形成されていることから、直交壁部１４９Ｒは、Ｒ光の進行方向及びその逆方向の双方に揺動可能である。なお、平行壁部１４７Ｒは、Ｒ光の光路から離間する方向へは揺動可能であるが、Ｒ光の光路へ近接する方向への揺動は、直交壁部１４９Ｒに規制される。
【０１４７】
さらに、各直交壁部１４９Ｒには、各直交壁部１４９Ｒが２つの壁部の積層体から構成されるように、Ｒ光の進行方向に直交する（直交壁部１４９Ｒに沿う）切り込み１５３Ｒが形成されている。従って、直交壁部１４９Ｒは、Ｒ光の進行方向に直交する方向の曲げ剛性が低下しており、Ｒ光の進行方向に揺動しやすくなっている。
【０１４８】
図１３（ｂ）は、吹き出し口１０３Ｇの平面図である。なお、図１３（ｂ）の紙面上下左右方向は、図１２（ｂ）の紙面上下左右方向と同一である。
【０１４９】
ノズル１４５Ｇは、Ｇ光の進行方向に平行な２つ（４つと捉えることも可能である）の平行壁部１４７Ｇと、Ｇ光の進行方向に直交する３つの直交壁部１４９Ｇとから構成されている。
【０１５０】
ノズル１４５Ｇにも、ノズル１４５Ｒと同様に切り込みが形成されている。すなわち、Ｇ光の進行方向に沿い、平行壁部１４７Ｇと直交壁部１４９Ｇとを分離する切り込み１５１Ｇが形成されており、また、Ｇ光の進行方向に直交して各直交壁部１４９Ｇを複数層に分割する切り込み１５３Ｇが形成されている。
【０１５１】
図１３（ｃ）は、吹き出し口１０３Ｂの平面図である。なお、図１３（ｃ）の紙面上下左右方向は、図１２（ｂ）の紙面上下左右方向と同一である。
【０１５２】
ノズル１４６Ｂは、Ｂ光の進行方向に平行な２つの平行壁部１４７Ｂと、Ｂ光の進行方向に傾斜する２つの傾斜壁部１４８Ｂと、Ｂ光の進行方向に直交する３つの直交壁部１４９Ｂとから構成されている。
【０１５３】
ノズル１４５Ｂにも、ノズル１４５Ｒと同様に切り込みが形成されている。すなわち、Ｂ光の進行方向に沿い、直交壁部１４９Ｂと、他の壁部（平行壁部１４７Ｂ及び傾斜壁部１４８Ｂ）を分離する切り込み１５１Ｂが形成されており、また、Ｇ光の進行方向に直交して各直交壁部１４９Ｂを複数層に分割する切り込み１４９Ｂが形成されている。
【０１５４】
なお、ノズル１４５の、いずれの範囲を一の壁部として捉えるかは適宜である。上記の説明では、平面視における方向によって壁部を区分したが、例えば、一の平行壁部１４７と一の直交壁部１４９とで、一の壁部が構成されており、当該一の壁部に切り込み１５１が形成されて、壁部の一部が揺動しやすくなっていると捉えることもできる。また、ノズル１４５全体を一の壁部として捉えることもできる。
【０１５５】
図１４等を参照して、フィルター交換用蓋体１５（図２）周辺の構成について説明する。
【０１５６】
図１４（ａ）は、フィルター交換用蓋体１５により筐体３に着脱されるフィルター１５５を示す斜視図である。
【０１５７】
フィルター１５５は、フィルター本体部１５７Ａ、１５７Ｂ（以下、Ａ、Ｂを省略することがある。）と、フィルター本体部１５７を保持するフィルターホルダー１５９とを有している。
【０１５８】
フィルター本体部１５７は、エレクトレットにより構成されている。すなわち、フィルター１５５は、透過する空気の塵を帯電電荷により吸着する、いわゆる帯電フィルターとして構成されている。エレクトレットは、全体としては中性であり、局部的にプラス電荷とマイナス電荷を恒久的に保持している。エレクトレットとしては、適宜な材料が用いられてよいが、例えば、ポリプロピレンを素材とした不織布エレクトレットが用いられる。フィルター本体部１５７の形状は適宜に設定されてよいが、例えば、表側と裏側に交互に折り返された形状、すなわち、ギザギザの形状に形成されている。また、例えば、フィルター本体部１５７は、平面形状が矩形に形成されている。
【０１５９】
フィルターホルダー１５９は、フィルター本体部１５７の外周を囲む枠状に形成されている。換言すれば、フィルターホルダー１５９には、フィルター本体部１５７が配置される開口１５９ｈが形成されている。開口１５９ｈは、２つのフィルター本体部１５７Ａ、１５７Ｂそれぞれに対応して設けられており、フィルターホルダー１５９は、２つのフィルター本体部１５７Ａ、１５７Ｂを囲む大枠部１５９ａと、２つのフィルター本体部１５７Ａ、１５７Ｂを仕切る仕切り部１５９ｂとを有している。なお、大枠部１５９ａの厚さは、ギザギザに形成されたフィルター本体部１５７の厚さに対して同等又は若干大きい。
【０１６０】
大枠部１５９ａの紙面上方側の面には、紙面上方側に突出する突条部が大枠部１５９ａの全周に沿って形成されている。具体的には、大枠部１５９ａの内側縁部に沿って形成された内側突条部１５９ｃと、大枠部１５９ａの外側縁部に沿って形成された外側突条部１５９ｄとが形成されている。なお、内側突条部１５９ｃと外側突条部１５９ｄとの間には溝部が形成されているから、大枠部１５９ａの全周に沿って溝部が形成されていると捉えることもできる。
【０１６１】
大枠部１５９ａの紙面下方側の面には、紙面下方側に突出する突部１５９ｅが形成されている。突部１５９ｅは、適宜な間隔で複数の位置に設けられている。例えば、突部１５９ｅは、矩形状の大枠部１５９ａの４隅に設けられている。また、突部１５９ｅは、４隅の間にも、１又は２個配置されている。
【０１６２】
フィルターホルダー１５９は、弾性部材により構成されている。例えば、スチレン系熱可塑性エラストマーにより構成されている。なお、ゴム等の他の弾性材料により構成されていてもよい。
【０１６３】
フィルター本体部１５７とフィルターホルダー１５９とは、フィルター本体部１５７の全周に亘って密着固定されている。例えば、フィルター本体部１５７及びフィルターホルダー１５９は熱溶着されている。又は、フィルター本体部１５７及びフィルターホルダー１５９は接着剤により固定されている。
【０１６４】
なお、フィルターは、一のフィルター本体部若しくは３以上のフィルター本体部を一のフィルターホルダーにより保持する構成とするなど、適宜に変形可能である。
【０１６５】
図１４（ｂ）は、図２のＸＩＶｂ−ＸＩＶｂ線における断面図である。
【０１６６】
筐体３の底面部３ｂには、吸気口１６１が形成されている。フィルター１５５は、吸気口１６１を覆うように配置され、底面部３ｂとフィルター交換用蓋体１５とにより挟持されている。具体的には以下に例示するとおりである。
【０１６７】
筐体３の底面部３ｂには、載置面側（図１４（ｂ）の紙面下方側）を凹とする凹部１６３が形成されている。凹部１６３は、フィルター１５５を収容可能な形状及び大きさを有している。好ましくは、凹部１６３は、フィルター１５５が嵌合する形状及び大きさを有している。すなわち、本実施形態では、凹部１６３は、フィルター１５５と同等の大きさの矩形状に形成されている。凹部１６３の深さは、例えば、フィルター１５５の厚さと概ね同等である。
【０１６８】
吸気口１６１は、凹部１６３の底面１６３ａ（凹部１６３の、図１４（ｂ）の紙面上方側の面）に形成されている。吸気口１６１は、例えば、第３シロッコファン７７及び第２軸流ファン８１の吸気に寄与可能に、これらのファンの配置範囲に亘って形成されている。また、吸気口１６１の径は、凹部１６３の底面１６３ａの径よりも小さく、吸気口１６１の外周には、全周に亘って、底面１６３ａが環状（本実施形態では矩形の環状）に残されている。
【０１６９】
フィルター１５５は、凹部１６３に、図１４の紙面上方側の面を凹部１６３の底面１６３ａに向けて（図１４（ｂ）の上方側に向けて）凹部１６３に収容されている。より好ましくは、フィルター１５５は凹部１６３に嵌合している。フィルターホルダー１５９の大枠部１５９ａは、吸気口１６１の全周に亘って、環状の底面１６３ａに対向している。
【０１７０】
フィルター本体部１５７は、吸気口１６１に対向している。２つのフィルター本体部１５７のうち、一方は、吸気口１６１を介して、第３シロッコファン７７の吸気面７７ａに対向している。２つのフィルター本体部１５７のうち、他方は、吸気口１６１を介して、第２軸流ファン８１の吸気面８１ａに対向する空間に対向している。すなわち、第２軸流ファン８１は、一のフィルター本体部１５７の一方端側の位置に、当該一のフィルター本体部１５７の他方端側に吸気面８１ａを向けて配置されている。なお、吸気面８１ａは、断面円形のレンズ鏡筒５の側面に対向しており、また、レンズ鏡筒５は、吸気口１６１と重なる位置に配置されている。
【０１７１】
フィルター交換用蓋体１５は、図２、図３及び図１４（ｂ）に示すように、筐体３の底面部３ｂから突出する形状に形成されている。ただし、フィルター交換用蓋体１５は、支持具７により、プロジェクター１の載置面から離間して配置される。フィルター交換用蓋体１５は、基部１５ａと、基部１５ａの外周を囲む外周面部１５ｂとを有している。
【０１７２】
基部１５ａは、例えば、板状に形成されている。基部１５ａは、フィルター交換用蓋体１５が筐体３に装着されると、筐体３の底面部３ｂと概ね平行となり、また、吸気口１６１及びフィルター１５５に対して対向する。基部１５ａは、例えば、吸気口１６１及びフィルター本体部１５７を覆うことが可能な大きさ及び形状に形成されている。すなわち、本実施形態では、基部１５ａは、２つのフィルター本体部１５７の面積と概ね同等の大きさを有する矩形に形成されている。
【０１７３】
外周面部１５ｂは、基部１５ａに対して立設されている。外周面部１５ｂは、フィルター交換用蓋体１５が筐体３に装着されると、筐体３の底面部３ｂに交差する。外周面部１５ｂは、例えば、図２及び図３に示すように、基部１５ａから離れるほど拡径するように形成されている。すなわち、筐体３への装着状態において外面が載置面に向けられる方向へ傾斜するように形成されている。なお、図１４（ｂ）では、外周面部１５ｂが基部１５ａに対して直交するかのように簡略化して図示している。ただし、図１４（ｂ）のように、外周面部１５ｂは、基部１５ａに対して直交していてもよい。
【０１７４】
外周面部１５ｂの頂部１５ｃ（筐体３の底面部３ｂ側の端部）は、フィルターホルダー１５９を抑えつけることが可能な大きさ及び形状に形成されている。すなわち、頂部１５ｃは、平面視において、フィルターホルダー１５９の大枠部１５９ａと同等の大きさ及び形状を有している。本実施形態では、頂部１５ｃは、平面視において矩形である。
【０１７５】
図２及び図３に示すように、外周面部１５ｂには、吸気口１６５が形成されている。吸気口１６５は、複数形成されている。例えば、複数の吸気口１６５は、基部１５ａの外周に沿って、比較的狭い間隔で配列されている。なお、このため、外周面部１５ｂは、枠状に形成されている。
【０１７６】
フィルター交換用蓋体１５は、適宜な方法により、筐体３の底面部３ｂに対して着脱可能に固定される。例えば、フィルター交換用蓋体１５は、フィルター交換用蓋体１５及び筐体３の底面部３ｂの、一方に設けられた係合部が他方に設けられた被係合部に係合することにより、筐体３の底面部３ｂに対して着脱可能に固定される。あるいは、フィルター交換用蓋体１５は、フィルター交換用蓋体１５に挿通されたネジが筐体３の底面部３ｂに対して螺合されることにより、筐体３の底面部３ｂに対して着脱可能に固定される。
【０１７７】
以上の構成を有するフィルター１５５の周辺部では、フィルター１５５が凹部１６３に嵌合され、フィルター交換用蓋体１５が筐体３の底面部３ｂに対して固定されることにより、フィルター１５５は、筐体３の底面部３ｂとフィルター交換用蓋体１５とに挟持されて、筐体３に対して着脱可能に固定される。
【０１７８】
具体的には、フィルターホルダー１５９の大枠部１５９ａが、凹部１６３の環状の底面１６３ａと、フィルター交換用蓋体１５の外周面部１５ｂの頂部１５ｃとにより挟持される。この際、フィルターホルダー１５９の大枠部１５９ａは、凹部１６３の環状の底面１６３ａに、吸気口１６１の全周に亘って密着する。フィルターホルダー１５９は、弾性材料で形成されるとともに、フィルター本体部１５７の全周に密着固定されているから、フィルターホルダー１５９は、パッキンとして機能する。
【０１７９】
図１４（ｃ）は、図１４（ｂ）の領域ＸＩＶにおける拡大図である。この図は、フィルターホルダー１５９の大枠部１５９ａが凹部１６３の環状の底面１６３ａに当接する様子を示している。大枠部１５９ａの、凹部１６３の底面１６３ａ側の面に形成された内側突条部１５９ｃ、外側突条部１５９ｄは、底面１６３ａに当接する。そして、底面１６３ａからの力により弾性変形させられ、適宜な復元力で底面１６３ａに密着する。なお、圧縮力の大きさによっては、内側突条部１５９ｃと外側突条部１５９ｄとの間の溝部も底面１６３ａに当接する。
【０１８０】
また、フィルターホルダー１５９の、フィルター交換用蓋体１５側の面に形成された突部１５９ｅは、フィルター交換用蓋体１５の頂部１５ｃに当接する。そして、突部１５９ｅは、フィルター交換用蓋体１５からの力により弾性変形させられ、適宜な復元力を生じ、内側突条部１５９ｃや外側突条部１５９ｄを筐体３の底面部３ｂに押し付ける。
【０１８１】
以上の構成を有するフィルター１５５の周辺部においては、第３シロッコファン７７及び第２軸流ファン８１が回転すると、図１４（ｂ）において矢印ｙ４７で示すように、筐体３部の空気は、フィルター交換用蓋体１５の吸気口１６５、フィルター１５５、筐体３の底面部３ｂの吸気口１６１の順に通過して、筐体３内部へ導入される。
【０１８２】
図１５〜図１７を参照して、第２軸流ファン８１の防振構造について説明する。
【０１８３】
図１５（ａ）は、第２軸流ファン８１及び第２軸流ファン８１の防振のための防振部材１６７を示す斜視図である。
【０１８４】
なお、図１５（ａ）の紙面手前側が第２軸流ファン８１の吸気側である。ただし、図１５（ａ）の紙面奥手側を第２軸流ファン８１の吸気側とすることも可能である。また、図１５（ａ）では、図解を容易にするために、羽根部１０５のうち、羽根１０５ａを点線で示している。後述する、図１５（ｂ）、図１６及び図１７においては、図解を容易にするために、羽根１０５ａを省略して図示している。
【０１８５】
第２軸流ファン８１のファンケース１０７は、羽根部１０５を回転軸回りに囲む外周面部１０７ａと、ファンケース１０７の排気面側において外周面部１０７ａから中央側に延びる複数の支持部１０７ｂと、支持部１０７ｂに支持される軸支部１０７ｃとを有している。羽根部１０５は、軸支部１０７ｃに軸支される被軸支部１０５ｂと、被軸支部１０５ｂの外周に設けられた複数の羽根１０５ａとを有している。
【０１８６】
ファンケース１０７の外周面部１０７ａには、外周側（羽根部１０５の径方向）に突出する突出部が形成されている。具体的には、ファンケース１０７は、外周面部１０７ａの吸気側の縁部に設けられた吸気側突出部１６９Ａ、及び、外周面部１０７ａの排気側の縁部に設けられた排気側突出部１６９Ｂ（以下、吸気側、排気側の語、及び、Ａ、Ｂを省略することがある。）を有している。突出部１６９は、羽根部１０５の周方向に沿って複数設けられている。例えば、突出部１６９は、ファンケース１０７の４隅に設けられている。
【０１８７】
ファンケース１０７は、突出部１６９も含め、羽根部１０５の回転軸方向に見て、外周面が概ね矩形に形成されており、突出部１６９は、矩形の角部を形成している。ファンケース１０７の外周面部１０７ａは、矩形の角部において、羽根部１０５の回転軸を中心とする概ね円形に形成された円形部１０７ｄを有しており、突出部１６９は、円形部１０７ｄから突出し、回転軸方向に見て、概ね三角形に形成されている。また突出部１６９は、板状に形成されている。
【０１８８】
なお、吸気側突出部１６９Ａ及び排気側突出部１６９Ｂに挟まれた部分は、凹部となっているから、ファンケース１０７は、外周部に凹部１７０が形成されていると捉えることもできる。
【０１８９】
防振部材１６７は、ファンケース１０７と筐体３との間に介在してファンケース１０７の振動を吸収するためのものである。防振部材１６７は、弾性及び粘弾性の少なくとも一方を有する部材により構成されている。なお、防振部材１６７は、弾性及び粘弾性の双方を有していることが好ましい。なお、本願では、弾性のみを有する部材だけでなく、弾性及び粘弾性の双方を有している部材も弾性部材ということがある。防振部材１６７は、例えば、スチレン系熱可塑性エラストマーにより構成されている。なお、防振部材１６７は、ゴムにより構成されていてもよい。
【０１９０】
防振部材１６７は、ファンケース１０７の外周に、羽根部１０５の周方向に沿って複数配置されている。例えば、防振部材１６７は、ファンケース１０７の四隅に配置されている。
【０１９１】
各防振部材１６７は、ファンケース１０７の外周面部１０７ａの角部を覆うことが可能な形状に構成されている。具体的には、各防振部材１６７は、ファンケース１０７の外周面部１０７ａの角部を、羽根部１０５の回転軸方向（ｚ軸方向）において吸気側及び排気側の両側を覆い、上下方向（ｙ軸方向、羽根部１０５の回転軸に直交する一の方向）の一方側において覆い、羽根部１０５の回転軸及び上下方向に直交する方向（ｘ軸方向）の一方側において覆う。従って、４隅に配置された防振部材１６７により、ファンケース１０７の３軸方向の、各軸方向の両側に防振材料が配置されることになる。
【０１９２】
図１５（ｂ）は、防振部材１６７周辺の拡大斜視図である。
【０１９３】
防振部材１６７は、ファンケース１０７の突出部１６９に被せられる突出部を有している。具体的には、防振部材１６７は、ファンケース１０７の吸気側突出部１６９Ａに被せられる吸気側突出部１７１Ａ、及び、ファンケース１０７の排気側突出部１６９Ｂに被せられる排気側突出部１７１Ｂ（以下、吸気側、排気側の語、及び、Ａ、Ｂを省略することがある。）を有している。
【０１９４】
防振部材１６７の突出部１７１の、突出方向とは反対側には、不図示の凹部が形成されており、ファンケース１０７の突出部１６９が、突出部１７１の凹部に、嵌合又は圧入されるように、防振部材１６７は、ファンケース１０７に取り付けられる。防振部材１６７の突出部１７１の表面は、防振部材１６７の他の部分よりも３軸方向に突出している。すなわち、筐体３との３軸方向における当接面の少なくとも一部は、防振部材１６７のうち突出部１７１により構成されている。
【０１９５】
なお、吸気側突出部１７１Ａ及び排気側突出部１７１Ｂに挟まれた部分は、凹部となっているから、防振部材１６７は、外周部に凹部１７２が形成されていると捉えることもできる。また、防振部材１６７は、凹部１７２等の適宜な位置において、肉抜きされ、ファンケース１０７を一部露出させていてもよい。
【０１９６】
図１６及び図１７は、第２軸流ファン８１が筐体３に取り付けられた状態を示している。図１６は、レンズ鏡筒５と光学ユニット４３とが接続されるあたりの上方側から第２軸流ファン８１を見た斜視図である。図１７（ａ）は、レンズ鏡筒５側（図１６の紙面右側、回転軸方向の吸気側）から第２軸流ファン８１を見た正面図である。図１７（ｂ）は、図１７（ａ）の紙面右側（筐体３の前面部３ｃ側）から第２軸流ファン８１を見た側面図である。
【０１９７】
第２軸流ファン８１のファンケース１０７は、筐体３に固定された支持部材１７３と、支持部材１７３に固定された押え部材１７５とに挟持されることにより、筐体３に固定されている。ファンケース１０７と支持部材１７３との間、ファンケース１０７と押え部材１７５との間には、それぞれ防振部材１６７が介在している。すなわち、ファンケース１０７と筐体３との間には、防振部材１６７が介在している。
【０１９８】
支持部材１７３は、例えば、第３シロッコファン７７のファンケース９９（図５）と一体形成されており、ファンケース９９とともに筐体３に対して固定されている。なお、支持部材１７３は、単体で構成されてもよいし、他の部材（例えば筐体３）と一体形成されてもよい。支持部材１７３と筐体３との固定は、係合部やネジ等の適宜な手段により行われる。例えば、支持部材１７３と筐体３との固定は、支持部材１７３に挿通されたネジが筐体３に螺合することにより行われる。
【０１９９】
支持部材１７３は、例えば、第２軸流ファン８１に対して、厳密には、その外周に配置された防振部材１６７に対して、上下方向（ｙ軸方向）の下方側（筐体３の底面部３ｂ側、図１６及び図１７の紙面下方側）から当接可能、回転軸方向（ｚ軸方向）の両側から当接可能、回転軸方向及び上下方向に直交する方向（ｘ軸方向）の両側から当接可能に構成されている。すなわち、支持部材１７３は、第２軸流ファン８１の、上方側への移動以外の移動を規制可能である。
【０２００】
具体的には、以下のとおりである。支持部材１７３は、第２軸流ファン８１を下方側（ｙ軸方向の一方側）から支持する基部１７３ａと、基部１７３ａの、第２軸流ファン８１の吸気側（ｚ軸方向の一方側、図１６及び図１７（ａ）の紙面手前側、図１７（ｂ）の紙面左側、レンズ鏡筒５側）の縁部に形成されたリブ１７３ｂと、基部１７３ａの、第２軸流ファン８１の排気側（ｚ軸方向の他方側、図１６及び図１７（ａ）の紙面奥手側、図１７（ｂ）の紙面右側、第３シロッコファン７７側）の縁部に形成された壁部１７３ｃと、基部１７３ａの、回転軸方向及び上下方向に直交する方向（ｘ軸方向）の両側縁部に形成されたリブ１７３ｄ（ただし、ｘ軸方向の一方側と、他方側とで、リブ１７３ｄの形状は異なる）とを有している。
【０２０１】
これらの各部により、支持部材１７３には、防振部材１６７が取り付けられた第２軸流ファン８１が挿入される、上方側が凹の凹部が形成されている。防振部材１６７が取り付けられた第２軸流ファン８１は、支持部材１７３に形成された凹部に、嵌合又は圧入される。
【０２０２】
なお、第２軸流ファン８１の排気側において第２軸流ファン８１に当接する壁部１７３ｃは、第３シロッコファン７７のファンケース９９の、羽根部９７を回転軸回りに囲む外周部の一部も構成している。その高さは、図１７（ａ）に示すように、第２軸流ファン８１の半分程度若しくは半分以下である。
【０２０３】
支持部材１７３は、押え部材１７５を支持する支持部１７３ｅを有している。支持部１７３ｅは、例えば、基部１７３ａ側から押え部材１７５側に突出する柱状に形成されている。支持部１７３ｅは、第２軸流ファン８１の配置領域を挟んでｘ軸方向の両側に配置されている。２本の支持部１７３ｅは、第２軸流ファン８１のｘ軸方向の移動の規制にも寄与する。
【０２０４】
押え部材１７５は、例えば、第２軸流ファン８１に対して、厳密には、その外周に配置された防振部材１６７に対して、上下方向（ｙ軸方向）の上方側（筐体３の上面部３ａ側、図１６及び図１７の紙面上方側）から当接可能、回転軸方向（ｚ軸方向）の吸気側（図１６及び図１７の紙面手前側、図１８の紙面左側）両側から当接可能、回転軸方向及び上下方向に直交する方向（ｘ軸方向）の両側から当接可能に構成されている。すなわち、支持部材１７３は、第２軸流ファン８１の、下方側への移動及び排気側へ移動以外の移動を規制可能である。
【０２０５】
具体的には、以下のとおりである。押え部材１７５は、概ねＵ字状（コの字状）の部材であり、長尺状の基部１７５ａと、基部１７５ａの両端において基部１７５ａを支持する支持部１７５ｂとを有している。基部１７５ａは、第２軸流ファン８１の上方側（ｙ軸方向の他方側）から防振部材１６７に当接する。また、防振部材１６７が取り付けられた第２軸流ファン８１は、２本の支持部１７５ｂの間に嵌合又は圧入される。
【０２０６】
図１６及び図１７（ｂ）に示すように、基部１７５ａと支持部１７５ｂとの交差部には、防振部材１６７に対して、吸気側から当接する当接部１７５ｃが形成されている。第２軸流ファン８１は、送風により、吸気側への力を受ける。しかし、第２軸流ファン８１の吸気側への移動は、当接部１７５ｃにより規制される。
【０２０７】
具体的には、当接部１７５ｃは、防振部材１６７の排気側突出部１７１Ｂ（図１６では隠れて不図示）に対して、吸気側から当接している。当接部１７５ｃは、防振部材１６７の凹部１７２に挿入されている。当接部１７５ｃは、例えば、基部１７５ａと支持部１７５ｂとにより構成される角部に対向する斜辺を有する三角状に形成されている。基部１７５ａ及び支持部１７５ｂは、ｚ軸方向（羽根部１０５の回転軸方向）において、ファンケース１０７の中央よりも排気側に配置されており、当接部１７５ｃは、基部１７５ａ及び支持部１７５ｂの吸気側の縁部に形成されている。そして、押え部材１７５は、その全体が、ファンケース１０７の中央よりも排気側に配置されている。
【０２０８】
図１７（ｂ）に示すように、押え部材１７５には、押え部材１７５の吸気側への移動を規制するための係合部１７５ｄが形成されている。当接部１７５ｃを介して、吸気側への力を第２軸流ファン８１から受けた押え部材１７５の吸気側への移動は、係合部１７５ｄにより規制される。係合部１７５ｄは、例えば、基部１７５ａの吸気側の面から突出する、鉤状に形成されている。係合部１７５ｄは、筐体３又は筐体３に固定された部材（例えば制御駆動ブロックケース６５）に設けられた被係合部１７７に第２軸流ファン８１の概ね回転軸方向において係合する。
【０２０９】
押え部材１７５と支持部材１７３とは、適宜な方法により互いに固定される。例えば、押え部材１７５の支持部１７５ｂの下端が支持部材１７３の支持部１７３ｅの上端に当接し、支持部１７５ｂに挿通されたネジ１７９（図１７）が支持部１７３ｅに螺合されることにより、押え部材１７５と支持部材１７３とは互いに固定される。この際、防振部材１６７は、適宜な圧力で圧縮される。
【０２１０】
なお、支持部材１７３と押え部材１７５とで、第２軸流ファン８１の移動を重複して規制している方向については、支持部材１７３及び押え部材１７５のいずれか一方において規制しないようにすることも可能である。例えば、ｘ軸方向においては、支持部材１７３及び押え部材１７５の一方のみが第２軸流ファン８１（厳密には防振部材１６７）に当接するようにしてもよい。
【０２１１】
以上の実施形態によれば、主として、図１〜７を参照して説明したように、プロジェクター１は、筐体３と、筐体３に設けられ、筐体３の外部へ光を投射するための投射レンズ６と、筐体３内に設けられた第１部品の一例としてのランプ４９と、筐体３内に設けられた第２部品の一例としての制御駆動ブロック４７の回路基板６３とを有し、筐体３内には、ランプ４９を冷却するための第１空気流路ＡＦＲ１と、回路基板６３を冷却するためのＡＦＲ２とが形成され、第１空気流路ＡＦＲ１及び第２空気流路ＡＦＲ２は、互いに異なる方向に延び、下流端において隣接し、投射方向側、且つ、投射レンズ６の光軸ＬＡから離間する側の方向へ、ランプ４９及び回路基板６３により熱せられた空気を排気可能に構成されていることから、すなわち、第１空気流路ＡＦＲ１と第２空気流路ＡＦＲ２とを、下流端においてのみ集約し、適切な方向へ空気を排出することから、筐体３内部における冷却対象としてのランプ４９や制御駆動ブロック４７、及び、第１軸流ファン７３や第２軸流ファン８１の配置の自由度が高く、かつ、排気熱による投射画像の揺らぎやプロジェクター１の側方や背後に存在するユーザや壁への排気熱の影響を低減できる。
【０２１２】
第１空気流路ＡＦＲ１及び第２空気流路ＡＦＲ２は、排気温度が互いに異なり、下流端において仕切られていることから、下流端において、排気温度が高い空気流路の空気が排気温度が低い空気流路に流れ込むことが防止される。具体的には以下のとおりである。光源ユニット４１からの排気熱は、制御駆動ブロック４７からの排気熱よりも高い。一方で、上述したように、異なる方向の空気流路の空気を、双方とも適切な方向に排出するために、第１空気流路ＡＦＲ１及び第２空気流路ＡＦＲ２は下流端において集約されている。従って、下流端において、第１空気流路ＡＦＲ１の空気が第２空気流路ＡＦＲ２に入り込み、制御駆動ブロック４７の冷却効果が低下するおそれがある。しかし、第１空気流路ＡＦＲ１及び第２空気流路ＡＦＲ２が下流端において仕切られることにより、そのようなおそれが低減される。
【０２１３】
制御駆動ブロック４７の回路基板６３は、ランプ４９の投射方向側に配置され、第１空気流路ＡＦＲ１は、筐体３内の、投射方向に沿う第１側面部３ｅ側において、少なくとも投射方向へ延び、第２空気流路ＡＦＲ２は、筐体３内の、投射方向側において、投射レンズ６側から第１空気流路ＡＦＲ１が配された第１側面部３ｅ側へ延び、下流端が、第１空気流路ＡＦＲ１の下流端の、投射レンズ側に隣接することから、第１空気流路ＡＦＲ１の投射方向への流れと、第２空気流路ＡＦＲ２の投射レンズ６の光軸ＬＡから離間する方向への流れとが合流することになり、筐体外部において、投射方向側、且つ、投射レンズ６の光軸ＬＡから離間する方向への流れが形成されやすくなる。従って、排気ルーバー２９によってのみ、投射方向側、且つ、投射レンズ６の光軸ＬＡから離間する方向への流れを形成するような場合に比較して、好適に空気の流れを形成できる。
【０２１４】
上記のような、第１空気流路ＡＦＲ１が投射方向へ、第２空気流路ＡＦＲ２が投射レンズ６から離間する方向へ延びる構成において、第１空気流路ＡＦＲ１の排気温度が、第２空気流路ＡＦＲ２の排気温度よりも高い場合には、投射方向側（前面側）に比較してユーザや壁等が存在する可能性が高い側面側に、より低温の第２空気流路ＡＦＲ２を配置することになり、プロジェクター１の周囲に及ぼす影響をより低減できる。
【０２１５】
筐体３には、第１空気流路ＡＦＲ１及び第２空気流路ＡＦＲ２の空気を筐体外部へ排出する排気部２７が形成され、排気部２７は、筐体３の投射方向に対向する前面部３ｃから投射方向に沿う第１側面部３ｅに亘って開口していることから、投射方向側、且つ、投射レンズ６の光軸ＬＡから離間する方向へ排出する排気口の面積を最大限確保しつつ、投射画像やプロジェクター１の周囲に及ぼす影響を低減できる。
【０２１６】
筐体３には、第１空気流路ＡＦＲ１及び第２空気流路ＡＦＲ２の空気を筐体３外部へ排出する排気部２７が形成され、排気部２７には、投射方向側、且つ、投射レンズの光軸から離間する側の方向へ開口する隙間（スリット３１ｂ）を形成する、排気ルーバー２９の複数の側面側羽板２９ｄが設けられ、その筐体内部側には、スリット３１ｂが開口する方向に交差する内部ルーバー９５の内部側羽板９５ａが設けられることから、排気ルーバー２９により、投射方向側、且つ、投射レンズの光軸から離間する側の方向への流れを形成することができるとともに、排気ルーバー２９のスリット３１ｂからの光漏れを内部ルーバー９５により防止できる。
【０２１７】
また、本実施形態によれば、主として図９〜図１１を参照して説明したように、プロジェクター１は、第１使用状態の一例としての載置状態と、第１使用状態に対して天地を逆にした第２使用状態の一例としての吊り状態とで使用可能なものであって、光源としてのランプ４９と、ランプ４９を収容し、ランプ４９により熱せられた空気の排気口５１ｂが形成されたランプハウス５１と、載置状態において、排気口５１ｂの上方側の開口面積が下方側の開口面積よりも大きくなり、吊り状態において、排気口５１ｂの上方側の開口面積が下方側の開口面積よりも大きくなるように、排気口５１ｂの開口面積を調整可能な調整機構１３８とを有することから、高温の空気が溜まり易い上方側ほど排気され易くなる。従って、上下の排気バランスが均等になり、ひいては、載置状態と吊り状態との上下の排気バランスも均等になる。その結果、ランプハウス内の温度が、局部的に、光源の保証温度を上回ることや下回ることが防止され、ランプの破裂、石英管表面の黒化、失透現象による輝度低下等の不都合が防止される。
【０２１８】
調整機構１３８は、載置状態において下方側となる部分を塞ぐ第１位置と、排気口５１ｂの、吊り状態において下方側となる部分を塞ぐ第２位置との間で移動可能な調整部材１３９を有することから、簡素な構成で、排気口５１ｂの開口面積を調整できる。また、また、調整部材１３９により赤外線が反射されることにより、低温になりやすい下方側ほど暖められやすくなる。
【０２１９】
プロジェクター１は、調整部材１３９が載置状態及び吊り状態における上下方向にスライドするように調整部材１３９を案内可能なガイド部１４１を有することから、簡素な構成で調整部材１３９の移動を実現できるとともに、調整部材１３９が回転するような場合（この態様も本発明に含まれてよい）に比較して、調整部材１３９が移動するのに必要な空間を小さくすることができ、ひいては、筐体３の小型化を図ることができる。
【０２２０】
調整部材１３９は、吊り状態から載置状態への遷移に伴って、第２位置（吊り状態において下方側となる部分を塞ぐ位置）から第１位置（載置状態において下方側となる部分を塞ぐ位置）へ、自重により移動可能、且つ、載置状態から吊り状態への遷移に伴って、第１位置から第２位置へ、自重により移動可能に構成されていることから、プロジェクター１の天地を逆にしたときに、自動的に調整部材１３９の位置が切り替り、便利であるとともに、モータ等の駆動手段を設ける必要もない（ただし、駆動手段を設けた態様も本発明に含まれてよい。）。
【０２２１】
また、本実施形態によれば、主として図１２及び図１３を参照して説明したように、プロジェクター１は、光学部品としての入射側偏光板１２９、液晶パネル１３１、出射側偏光板１３３を有し、これらの光学部品を冷却するための第３シロッコファン７７と、第３シロッコファン７７からの風を光学部品に導くダクトであって、光学部品に対向する吹き出し口１０３が形成された第２導出ダクト７９（第４分岐ダクト７９ｂ）とを有し、第２導出ダクト７９には、吹き出し口１０３から吹き出される空気の流れの層流から乱流への遷移を促す乱流促進部としてのノズル１４５（直交壁部１４９）が設けられていることから、吹き出される空気と光学部品との熱交換を効率的に行うことができる。その結果、ファンの電力の省力化、騒音の抑制を図ることができる。
【０２２２】
層流から乱流への遷移を促進する乱流促進部は、吹き出し口１０３の周囲に設けられ、光学部品側へ突出し、切り込み１５１や切り込み１５３が形成されたノズル１４５（壁部）であることから、特別な部材等を配置することなく、簡単な構成で層流から乱流への遷移を促すことができる。
【０２２３】
例えば、切り込み１５１は、光学部品における光の透過方向に沿って形成され、ノズル１４５を透過方向に交差する直交壁部１４９と他の壁部とに分離することから、光の透過方向（光学部品に直交する方向）に揺動しやすい直交壁部１４９が形成され、光学部品に直交する方向において乱れる乱流が形成されやすく、より効率的に空気と光学部品との熱交換を行うことができる。
【０２２４】
また、切り込み１５３は、直交壁部１４９に沿って形成され、直交壁部１４９を複数層に分割することから、直交壁部１４９は、光学部品に直交する方向に、一層揺動しやすくなる。
【０２２５】
また、本実施形態では、主として図１４を参照して説明したように、所定の載置面に、当該載置面から底面部３ｂを離間させた状態で載置可能な筐体３と、筐体３内に配置された第３シロッコファンや第２軸流ファン８１と、筐体３の底面部３ｂに形成された吸気口１６１を塞ぐように筐体３に着脱可能なフィルター１５５と、吸気口１６１を塞ぐフィルター１５５を載置面側から覆うように筐体３に着脱可能であり、吸気口１６５が形成されたフィルター交換用蓋体１５とを有し、フィルター交換用蓋体１５は、筐体３の底面部３ｂから載置面側へ突出するように形成され、吸気口１６５は、フィルター交換用蓋体１５の、底面部３ｂに交差する面（外周面部１５ｂ）に形成されていることから、載置面に紙が置かれていても、紙が底面部３ｂに張り付いて吸気を妨げることがない。しかも、フィルター交換用蓋体１５に吸気口１６５が形成されるから、簡素且つ小型な構成で、フィルター１５５に隣接する、載置面に対して傾斜又は直交する吸気口が形成されるとともに、筐体３の形状は従来のものを使用でき、汎用性が高い。
【０２２６】
フィルター交換用蓋体１５は、吸気口１６１及びフィルター１５５に対向する基部１５ａと、基部１５ａの外周を囲み、底面部３ｂに対して交差する面部としての外周面部１５ｂとを有し、吸気口１６５は、外周面部１５ｂにのみ形成されていることから、載置面に置かれた紙等の張り付きが一層防止されるとともに、フィルター１５５に吸着された塵等が、振動等によりフィルター１５５から落ちたとしても、基部１５ａに溜まることになり、載置面が汚れることが防止される。
【０２２７】
フィルター１５５は、空気を透過させるフィルター本体部１５７と、フィルター本体部１５７の外周に密着固定され、弾性部材により形成された枠状のフィルターホルダー１５９とを有し、フィルターホルダー１５９は、フィルター交換用蓋体１５が筐体３に装着されたときに、吸気口１６１の周囲を囲むように筐体３の底面部３ｂに密着するように、筐体３の底面部３ｂとフィルター交換用蓋体１５とに挟持されることから、フィルターホルダー１５９は、フィルター本体部１５７を筐体３に装着するための部材と、フィルター本体部１５７を通過していない空気が吸気口１６１に導入されることを抑制するパッキンとに兼用されることになり、部品点数の削減、フィルター１５５の周辺の小型化、フィルター１５５の交換の容易性の向上、コスト低減等が図られる。
【０２２８】
フィルターホルダー１５９は、筐体３の底面部３ｂ側の面に、吸気口１６１の周囲を囲むように延びる、筐体３の底面部３ｂに密着する突条部（内側突条部１５９ｃ及び／又は外側突条部１５９ｄ）が形成されていることから、製品の製造誤差等があっても、突条部の圧縮変形により、筐体３の底面部３ｂに対して、適宜な接触圧で吸気口１６１の全周に亘って確実に当接することができる。
【０２２９】
フィルターホルダー１５９には、フィルター交換用蓋体１５側に突出し、フィルター交換用蓋体に当接する突部１５９ｅが形成されていることから、確実にフィルター交換用蓋体１５からの押圧力を受けることができるとともに、突部１５９ｅの圧縮変形により、フィルターホルダー１５９と筐体３の底面部３ｂとの接触圧を適宜な圧力に調整できる。
【０２３０】
フィルター１５５は、載置面側とその反対側とに交互に折り返された形状の、空気を透過させるフィルター本体部１５７を有している。その一方で、筐体外部の空気は、載置面に沿ってフィルター交換用蓋体１５の吸気口１６５に流れ込むから、フィルター本体部１５７を透過する空気の流れにも、載置面に沿う方向の流れの成分が含まれている（なお、図１４（ｂ）の矢印ｙ４７は、空気の流れを模式的に示していることから、フィルター本体部１５７を通過する流れは全て載置面に直交している。）。従って、フィルター本体部１５７を通過する空気は、フィルター本体部１５７のギザギザの山部を載置面に沿う方向に通過することにより、フィルター本体部１５７を複数回通過し得る。その結果、空気の浄化が一層行われる。
【０２３１】
プロジェクター１は、筐体３の底面部３ｂに概ね沿う所定の投射方向へ光を投射する投射レンズ６を有し、吸気口１６１、フィルター１５５、フィルター交換用蓋体１５は、筐体３の底面部３ｂのうち、投射方向側に配置され、吸気口１６５は、少なくとも投射方向側へ開口していることから、ユーザや壁等の吸気にとって障害物となるものが存在することのない投射方向側から吸気することができ、底面部３ｂにおける吸気が一層確実なものとなる。
【０２３２】
プロジェクター１は、筐体３内に設けられた光源としてのランプ４９と、筐体３内に設けられ、ランプ４９の光を投射レンズ６に導く光学ユニット４３と、筐体３内に設けられ、第３シロッコファン７７からの風を光学ユニット４３に導く第２導出ダクト７９とを有し、投射レンズ６及び第３シロッコファン７７は、投射方向に対して並列に配置され、フィルター交換用蓋体１５上に位置し、ランプ４９及び光学ユニット４３は、ランプ４９が第３シロッコファン７７の投射方向の反対側に、光学ユニット４３が投射レンズ６の投射方向の反対側に位置するように、投射方向に対して並列に配置され、筐体３の底面部３ｂには、吸気口１６１よりも投射方向の反対側の位置に、ランプ４９を出し入れ可能なランプ交換用開口３ｇが形成されており、フィルター交換用蓋体１５よりも投射方向の反対側の位置に、ランプ交換用開口３ｇを塞ぐランプ交換用蓋体１７が着脱可能であることから、ユーザや壁等の吸気にとって障害物となるものが存在することのない投射方向側にフィルター交換用蓋体１５を配置しつつ、フィルター交換用蓋体１５の、投射方向の反対側に隣接して、ランプ交換用開口３ｇを配置することができ、筐体３の底面部３ｂの有効利用及び小型化が図られる。
【０２３３】
また、本実施形態によれば、主として図１５〜図１７を参照して説明したように、プロジェクター１は、筐体３と、羽根部１０５、及び、羽根部１０５を回転可能に収容するファンケース１０７を有し、筐体３内に配置された第２軸流ファン８１と、ファンケース１０７の、羽根部１０５を羽根部１０５の回転軸回りに囲む外周面部１０７ａのうち、周方向の複数位置に配置され、筐体３とファンケース１０７との間に介在し、弾性及び粘性の少なくとも一方を有する複数の防振部材１６７とを有することから、従来のように、ファンケース全体を覆うような防振部材に比較して、防振部材を小型化できる。その結果、材料費や加工コストを縮小できるとともに、取り扱い性も向上する。ファンは、投射型表示装置の種類や、ファンの配置される位置等によって、各種の大きさのものが使用されるが、ファンの複数位置に配置される構成であることから、種々の大きさのファンに用いられることができ、防振部材の汎用性が低い。さらに、従来のように、ファンケース全体を覆うような防振部材は、ファンと防振部材とを密着させるために、防振部材の公差は小さくなければならないが、本実施形態の防振部材１６７は、そのような必要もない。
【０２３４】
プロジェクター１は、筐体３に固定された支持部材１７３と、羽根部１０５の径方向において、支持部材１７３とでファンケース１０７を挟持するように支持部材１７３に固定される押さえ部材１７５とを有し、複数の防振部材１６７の一部は、ファンケース１０７と支持部材１７３との間に挟持され、複数の防振部材１６７の他の一部は、ファンケース１０７と押え部材１７５との間に挟持されることから、ファンケース１０７は、羽根部１０５の径方向において確実に振動が抑制される。
【０２３５】
第２軸流ファン８１は、回転軸方向の一方側へ送風し、押え部材１７５は、ファンケース１０７の回転軸方向の他方側から防振部材１６７に当接し、第２軸流ファン８１の、送風により受ける力による回転軸方向の他方側（吸気側）への移動を規制する当接部１７５ｃを有することから、送風による第２軸流ファン８１の移動を規制して、第２軸流ファン８１の振動を確実に抑制することができる。
【０２３６】
押え部材１７５は、押え部材１７５の回転軸方向の他方側（吸気側）への移動を規制するように筐体３又は筐体３に固定された部材に回転軸方向において係合する係合部１７５ｄを有することから、上記の送風による移動が一層規制される。
【０２３７】
押え部材１７５は、羽根部１０５の径方向であって挟持方向（図１６のｙ軸方向）に直交する挟持直交方向（図１６のｘ軸方向）においてファンケースを挟んで互いに対向する一対の挟持直交方向当接部としての支持部１７５ｂを有し、ファンケース１０７は、複数の防振部材１６７がファンケース１０７と一対の支持部１７５ｂとの間にそれぞれ配置されて、一対の支持部１７５ｂに圧入されていることから、最終的には、押え部材１７５が支持部材１７３に固定されることにより、ファンケース１０７は、３軸方向において防振部材１６７を介して固定されることになり、あらゆる方向の振動が防振部材１６７により吸収される。その結果、ファンによる騒音が低減される。
【０２３８】
ファンケース１０７は、外周面部１０７ａに、径方向に突出する突出部１６９を有し、防振部材１６７は、突出部１６９に被せられる突出部１７１を有し、支持部材１７３及び押え部材１７５は、突出部１７１に当接することから、防振部材１６７をファンケース１０７に取り付けた状態で、第２軸流ファン８１を取り扱うことができ、第２軸流ファン８１の筐体３への取り付けが容易になるとともに、突出部１７１は、防振部材１６７のファンケース１０７への取り付け部と、支持部材１７３や押え部材１７５の当接部とを兼ねることになり、構成が小型化及び簡素化される。
【０２３９】
第２軸流ファン８１は、排気方向とは逆方向を吸気方向とし、ファンケース１０７は、外周面部１０７ａの排気方向側の縁部に、径方向に突出する排気側突出部１６９Ｂを有し、防振部材１６７は、排気側突出部１６９Ｂに被せられる排気側突出部１７１Ｂを有し、当接部１７５ｃは、排気側突出部１７１Ｂに対して、吸気方向側から排気方向側へ当接することから、押え部材１７５は、第２軸流ファン８１に対して吸気側から当接するにも関らず、第２軸流ファン８１よりも吸気側に位置する必要性がない。このため、押え部材１７５の軸方向の大きさを小さくすることができる。
【０２４０】
例えば、押え部材１７５が、ファンケース１０７の吸気方向側の縁部よりも排気方向側にのみ配置されているように、押え部材１７５を構成することができる。この場合、第２軸流ファン８１の吸気側に他の部材を隣接させることができ、第２軸流ファン８１周辺部の小型化が図られる。
【０２４１】
第２軸流ファン８１は、吸気方向側を、投射レンズ６を有する断面円形のレンズ鏡筒５の側面に対向させて配置されている。通常、軸流ファンの吸気側に他の部材が隣接配置されると、軸流ファンの吸気量が低減してしまうが、レンズ鏡筒５は、断面円形であることから、レンズ鏡筒５の上方側や下方側においては、第２軸流ファン８１の吸気面の前に十分に広い空間が形成されていることになり、吸気量の低減を抑制しつつ、第２軸流ファン８１の周辺部の小型化を図ることができる。
【０２４２】
本発明は、以上の実施形態に限定されず、種々の態様で実施されてよい。
【０２４３】
投射型表示装置は、ライトバルブ方式のものに限定されない。例えば、ＣＲＴ方式のものであってもよい。また、ライトバルブ方式である場合、投射型表示装置は、液晶プロジェクターに限定されない。例えば、ＤＭＤプロジェクターであってもよい。
【０２４４】
筐体の形状は、薄型直方体状のものに限定されない。例えば、平面視や側面視において全体又は一部が円形等に形成されているものであってもよい。なお、このような形状であっても、投射方向に沿う面、投射方向側の面、載置面に対向する面等の各面は特定可能である。また、筐体内の各部品の配置も適宜に変更されてよい。
【０２４５】
実施形態では、第１空気流路ＡＦＲ１及び第２空気流路ＡＦＲ２（図６）が、下流端において隣接する態様を例示した。すなわち、第１空気流路ＡＦＲ１及び第２空気流路ＡＦＲ２は、下流端において、内部側面先端部７５ｈにより仕切られていた。ただし、第１空気流路及び第２空気流路は、下流端において合流していてもよい。例えば、実施形態において、内部側面先端部７５ｈを省略してもよい。
【０２４６】
また、第１空気流路や第２空気流路は、実施形態に例示した方向に延びるものに限定されない。筐体の小型化に好適な部品配置等の種々の目的に応じて適宜に変形可能である。第１空気流路や第２空気流路の冷却対象は、光源や回路基板に限定されない。光学部品であってもよい。
【０２４７】
実施形態では、調整機構１３８（図９）は、排気口５１ｂに対して上下に移動する調整部材１３９を有する構成とされた。しかし、調整機構１３８は、これに限定されるものではない。すなわち、調整部材は、排気口の上方側又は下方側のいずれかを塞ぐ位置へ移動するものに限定されないし、上下にスライドするものにも限定されない。
【０２４８】
例えば、調整機構は、排気口に配置された可動式のルーバーにより構成されてよい。具体的には、上下方向に配列され、水平な回転軸回りに揺動可能な複数の羽板を排気口に設け、複数枚の羽板の角度を上方側と下方側とで異ならせるとともに、筐体の天地が逆にされたときにその角度を変更することにより、上方側の開口面積を下方側よりも大きくしてもよい。
【０２４９】
実施形態のように、調整部材の自重により排気口の開口面積が変更されるように調整機構が構成される場合も、調整部材は上下にスライドするものに限定されない。例えば、調整機構は、調整部材がその重心に対して偏心した位置で軸支され、調整部材の自重により調整部材が回転して、排気口の開口面積を変更するものであってもよい。
【０２５０】
また、調整部材の移動は、自重によるものに限定されず、適宜な方法により行われてよい。すなわち、調整部材の移動は、手動で行われたり、モータ等の駆動手段により行われてもよい。
【０２５１】
図１８は、調整機構の変形例を説明する概略図である。
【０２５２】
ランプハウス５１′の排気口５１ｂ′の一部を塞ぐ調整部材１３９′は、図１８（ａ）に示す、排気口５１ｂ′の一方側を塞ぐ位置と、図１８（ｂ）に示す、排気口５１ｂ′の他方側を塞ぐ位置との間で移動可能である。
【０２５３】
調整部材１３９′には、操作部材２０１が連結されている。操作部材２０１は、筐体３′のスリット２０３を介して筐体３′から露出している。従って、ユーザは、操作部材２０１を操作することにより、調整部材１３９′の位置を変更することができる。
【０２５４】
調整部材１３９′は、適宜な方法により、図１８（ａ）に示す位置及び図１８（ｂ）に示す位置に位置決めされる。例えば、スリット２０３には、板バネ等の弾性部材により構成された係合部２０５が、図１８（ａ）に示す位置及び図１８（ｂ）に示す位置にそれぞれ対応して設けられている（図１８（ａ）及び図１８（ｂ）の紙面右側からスリット２０３を見た図１８（ｃ）も参照。）。操作部材２０１が係合部２０５により係止されることにより、調整部材１３９′は、図１８（ａ）に示す位置及び図１８（ｂ）に示す位置に位置決めされる。
【０２５５】
なお、実施形態や図１８では、調整部材が、２つの位置のいずれかに位置決めされる場合を例示したが、調整部材は、３以上の位置のいずれかに位置決めされるように構成されたり、任意の位置に位置決めされるように構成されてもよい。調整部材の形状は、適宜に設定されてよい。板状のものや矩形状のものに限定されない。
【０２５６】
図１９は、調整部材の変形例を示す斜視図である。
【０２５７】
図１９（ａ）に示す調整部材２０７には、概ね円形の孔部２０９が複数形成されている。調整部材２０７は、例えば、パンチングメタルにより構成されている。また、図１９（ｂ）に示す調整部材２１１には、複数のスリット２１３が形成されている。
【０２５８】
このように、調整部材には、空気が透過する孔部が形成されていてもよい。この場合、調整部材の配置位置と非配置位置との間で急激な温度差が生じないようにし、ランプハウス全体に亘って温度のバランスを取ることができる。また、調整部材の配置範囲内においても、温度が上昇し易い部分と上昇し難い部分とがあるから、調整部材内の適宜な位置において開口面積を大きくしたり、小さくすることにより、排気バランスの微妙な調整ができる。
【０２５９】
実施形態では、ダクトから吹き出される空気の流れの層流から乱流への遷移を促す乱流促進部が、切り欠きが形成されたノズル１４５（図１３）により構成される場合を例示したが、乱流促進部は、これに限定されない。
【０２６０】
図２０（ａ）は、乱流促進部の変形例を示す断面図である。
【０２６１】
ノズル２１５Ｒ、２１５Ｂは、先端側が根元側よりも薄い直交壁部２１６Ｒ、２１６Ｂを含んで構成されている。具体的には、直交壁部２１６は、先端側ほど徐々に細くなるように形成されている。先端は、例えば、樹脂を成形可能な大きさである０．５ｍｍ程度の薄さに構成されている。なお、直交壁部２１６は、少なくとも先端側において、ダクト２１８の、ファンから吹き出し口まで空気を導くダクト本体部２１８ａの外周面部よりも薄く形成されていることになる。
【０２６２】
この変形例によれば、直交壁部２１６の先端は曲げ剛性が低くなっており、揺動しやすくなっているから、空気から受ける圧力により振動して空気を層流から乱流へ遷移させやすくなっている。
【０２６３】
なお、図２０（ａ）では、ノズル２１５Ｂの、仕切り部２１７Ｂを構成する部分は、先端が薄く形成されていないが、当該部分においても先端が薄く形成されてもよい。また、光の透過方向に直交する壁部だけでなく、他の壁部も先端が薄く形成されてもよい。
【０２６４】
図２０（ｂ）は、乱流促進部の他の変形例を示す断面図である。
【０２６５】
ノズル２１９Ｒ、２１９Ｂ（直交壁部２２１Ｒ、２２１Ｂ）は、可撓性を有する部材により構成されている。可撓性を有する部材は、例えば、弾性を有する部材である。例えば、ノズル２１９は、ゴム、スチレン系エラストマーにより構成されている。なお、ダクト２２３の、ファンからの空気を吹き出し口２２５Ｒ、２２５Ｂまで導くダクト本体部２２３ａが硬質の樹脂等により構成されている場合、ノズル２１９は、ダクト本体部２２３ａよりも曲げ剛性が低い材料により構成されていることになる。
【０２６６】
この変形例によれば、ノズル２１９は曲げ剛性が低くなっており、揺動しやすくなっているから、空気から受ける圧力により振動して空気を層流から乱流へ遷移させやすくなっている。特に、ノズル２１９が弾性部材により構成されている場合には、その復元力により振動し易いから、一層、層流から乱流への遷移を促すことができる。
【０２６７】
なお、図２０（ｂ）では、ノズル２１９全体が、可撓性材料及び／又はダクト本体部２２３ａよりも剛性が低い材料により構成された場合を例示しているが、ノズル２１９の一部の部分のみが、可撓性材料等により構成されてもよい。例えば、ノズル２１９のうち、光の透過方向に直交する直交壁部２２１のみが可撓性材料により形成されたり、ノズル２１９の先端部のみが可撓性材料により形成されてもよい。
【０２６８】
図２１は、乱流促進部の更に他の変形例を示す平面図である。
【０２６９】
吹き出し口２２７Ｒ、２２７Ｇ、２２７Ｂには、それぞれ、内周面に中央側へ突出する複数の突部２２９が形成されている。複数の突部２２９は、例えば、吹き出し口２２７のうち、光の透過方向に交差する内周面に、吹き出し口２２７の縁部に沿って配列されている。なお、吹き出し口２２７が、上述した各種の態様のように、ノズルや壁部により構成されている場合には、複数の突部２２９は、ノズルや壁部の内周面に設けられている。
【０２７０】
この変形例によれば、吹き出し口２２７から吹き出される空気は、複数の突部２２９に攪拌され、層流から乱流へ遷移しやすい。従って、上述した各種の態様と同様に、空気と光学部品との熱交換を効率的に行うことができる。
【０２７１】
なお、複数の突部は、光の透過方向に直交する壁部だけでなく、他の壁部に形成されていてもよい。複数の突部の形状は適宜に設定されてよい。また、吹き出し口２２７の貫通方向（図２１の紙面貫通方向）に配列されていてもよい。複数の突部２２９は、ダクト２３１に対して一体形成されていてもよいし、ダクト２３１に対して他の部材が固定されて形成されていてもよい。
【０２７２】
実施形態のように、乱流促進部が切り込みを形成したノズルや壁部により構成される場合、切り込みは、ノズルや壁部の少なくとも先端に形成されていればよい。また、壁部を複数層に分割する切り込み（１５３）は、一の壁部に対して一つに限定されず、複数形成されてもよい。また、壁部を複数層に分割する切り込みは、光の透過方向に直交する壁部以外の壁部に形成されていてもよい。例えば、光の透過方向に沿う壁部や傾斜する壁部に形成されていてもよい。
【０２７３】
乱流促進部は、上述した種々の態様が適宜に組み合わされて構成されてもよい。例えば、先端が薄く形成された壁部に切り込みが設けられてもよいし、そのような壁部が可撓性材料により構成されたり、さらには、そのような壁部の内周面に突部が形成されてもよい。なお、乱流促進部を構成する壁部は、全体又は先端が極薄形状であることが好ましい。例えば、０．５ｍｍの厚さであることが好ましい。
【０２７４】
乱流促進部が設けられる吹き出し口は、ライトバルブ周辺に空気を吹き付けるものに限定されない。例えば、他の光学部品（例えばＰＳ変換素子）であってもよいし、回路基板等の電子部品であってもよい。乱流促進部を構成する壁部は、吹き出し口の縁部に設けられること（換言すれば吹き出し口を構成すること）が好ましいが、吹き出し口の縁部から若干離れた位置に形成されてもよい。
【０２７５】
実施形態では、フィルター交換用蓋体１５が、基部１５ａと外周面部１５ｂとを有し、外周面部１５ｂのみに吸気口１６５が形成される場合を例示したが、フィルター交換用蓋体の形状は、これに限定されない。例えば、フィルター交換用蓋体全体が、載置面側へ突出する曲面により形成され、全面に吸気口が形成されていてもよい。この場合であっても、従来のように筐体の底面部の吸気口が載置面に対向している場合に比較して、紙の張り付きが抑制されるとともに、フィルター交換用蓋体の形状を設計変更するだけでよいという効果を奏する。
【０２７６】
実施形態では、複数の防振部材１６７により、軸流ファンを保持する態様を例示した。しかし、複数の防振部材が保持する対象は、軸流ファンに限定されず、例えば、シロッコファンであってもよい。また、防振部材の配置位置や形状は適宜に変更されてよい。
【０２７７】
図２２〜図２４等を参照して、本発明の実施例のプロジェクターにおけるシミュレーション結果や実験結果について説明する。
【０２７８】
図２２は、主として図１〜図７を参照して説明したように、投射方向に対して４５°傾斜した方向へ熱風を排気した場合における、熱風の到達範囲を算出したシミュレーション結果を示している。
【０２７９】
図２２（ａ）〜図２２（ｃ）は、熱風の温度が５０°Ｃの場合のシミュレーション結果、図２２（ｄ）〜図２２（ｆ）は、熱風の温度が７０°Ｃの場合のシミュレーション結果を示している。
【０２８０】
図２２（ａ）〜図２２（ｆ）は、所定の温度範囲に対して、一定の本数Ｎの等高線を割り当てて、熱風の温度を等高線により示している。具体的には、図２２（ａ）及び図２２（ｄ）は、２０°Ｃ〜８０°Ｃの範囲に対してＮ本の等高線を割り当ている。図２２（ｂ）及び図２２（ｅ）は、２０°Ｃ〜４０°Ｃの範囲に対してＮ本の等高線を割り当ている。図２２（ｃ）及び図２２（ｆ）は、２０°Ｃ〜３０°Ｃの範囲に対してＮ本の等高線を割り当ている。
【０２８１】
図２２（ａ）〜図２２（ｆ）において、紙面右方向が投射方向であり、熱風は、紙面右上４５°の方向へ排気されている。そして、いずれの図においても、等高線は、排気方向の同一方向へ延びており、その形状は大同小異である。従って、これらの図から、熱風の到達範囲の、排気温度に対する依存率は低く、排気方向を適切に設定すれば、プロジェクターの周囲への熱影響を抑制できることが理解される。
【０２８２】
なお、これらの図から理解されるように、熱風は、投射方向に対して４５°の方向へ√２の距離を流れることにより、投射方向側又は投射方向へ直交する方向へ１の距離進む。従って、熱風が投射方向に対して４５°の角度で排出される場合には、プロジェクターから排出される熱風が周囲に及ぼす影響は、１／√２になる。
【０２８３】
次に、図９〜図１１を参照して説明した特徴の効果を説明する実験結果を示す。
【０２８４】
以下に、比較例における発光管の周囲の温度、すなわち、ランプハウスの排気口の開口面積を調整しなかった場合の発光管の周囲の温度の一例を示す。なお、Ｔｂｕ、Ｔｂｌ、Ｔｃｆ、Ｔｃｒの測定位置については、図１０に示す。なお、以下において、単位は°Ｃである。
【０２８５】
通常投射時―天井吊り投射時、（Ｈｉｇｈモード時）―（Ｌｏｗモード時）
発光管上部温度（Ｔｂｕ）；９８１―８２１、（９９７）―（７８３）
発光管下部温度（Ｔｂｌ）；８０９―９４５、（７７９）―（９２９）
上下温度の差の絶対値（Ｔｂｕ−Ｔｂｌ）；１７２―１２４、（２１７）―（１４５）
モリブデン箔溶接点前部温度（Ｔｃｆ）；３５０
モリブデン箔溶接点後部温度（Ｔｃｒ）；３８７
【０２８６】
この例では、姿勢を変えた場合、及びランプ出力を変化させた場合に上下温度差（Ｔｂｕ−Ｔｂｌ）が狭まる傾向が示されている。ランプを点灯させた場合、発光管内部の気体の対流により内壁が不均一に加熱され上部の温度（Ｔｂｕ）が下部（Ｔｂｌ）より高くなる。この温度不均一の為、発光管内部に封入された金属化合物などの発光物質の蒸発が不十分となり、石英管内壁に付着するなどの障害を発生する可能性がある。これらの現象の防止、上下の温度差の幅の縮小に本実施形態は有効である。
【０２８７】
図２３は、図２１に示した態様のように、吹き出し口に複数の突部を設けた場合における、風速を算出したシミュレーション結果である。
【０２８８】
左側欄のＲ、Ｇ−ＩＮ、Ｇ−ＯＵＴ、Ｂ−ＩＮ、Ｂ−ＯＵＴ、ＩＲＳ−ＩＮ、ＩＲＳ−ＯＵＴは、それぞれ、実施形態における、吹き出し口１０４Ｒ、１０４Ｇ−ＩＮ、１０４Ｇ−ＯＵＴ、１０４Ｂ−ＩＮ、１０４Ｂ−ＯＵＴ、１０２ＩＮ、１０２ＯＵＴ（図１２及び図７参照）に対応する吹き出し口を示している。
【０２８９】
２列目の欄は、比較例における、すなわち、吹き出し口に突部が形成されていない場合における風速を示している。３列目の欄は、実施例における、すなわち、吹き出し口に複数の突部が形成されている場合における風速を示している。比較例と実施例とは、突部が設けられているか否か以外は、条件は同一である。右側の欄は、比較例に対する実施例の風速の増加率を示している。
【０２９０】
図２３に示されているように、吹き出し口に突部が設けられることにより、風速が１％程度増加している。なお、風速の増加は、レイノルズ数の増加を意味するから、乱流に遷移しやすくなっていることを意味している。
【０２９１】
以下に、シロッコファンの駆動電圧を変えた場合における、風速等の相違の一例を示す。
【０２９２】
７Ｖ（Ｒ／Ｇ／Ｂ）      ８Ｖ（Ｒ／Ｇ／Ｂ）
風速（ｍ/ｓ）；        1.12/3.18/1.89          1.38/4.24/2.35
風量（ｍ３/min）；    0.003/0.038/0.027  0.0037/0.051/0.033
騒音値（ｄｂＡ）；        35.2                    37.3
パネル表面温度（°Ｃ）；  59.9（Ｇ）                57.8（Ｇ）
偏光板表面温度（°Ｃ）；  49.5（Ｇ）                47.6（Ｇ）
【０２９３】
この一例に表されるように、表面温度を２°Ｃ低減する為に、ファン駆動電圧を１Ｖ上げると、騒音値は、例えば、２ｄｂＡ程度悪化する（後述する図２５（ａ）参照）。たとえ乱流発生による効果が1〜２％程度でも、冷却効率が向上できれば装置全体騒音性能及び信頼性寿命向上に繋がることが理解可能と思える。
【０２９４】
図２４（ａ）は、光学部品に吹き付けられる風速と、光学部品周辺の温度と筐体外部の温度差との関係を算出したシミュレーション結果を示している。なお、光学部品は、クロスプリズム周辺等の光学部品が密集している領域の光学部品である。
【０２９５】
この図に示されるように、風速が一定の値（図２４（ａ）では０．７ｍ／ｓ）を下回ると、冷却効果が著しく低下している。従って、乱流に遷移させることにより、風速を上昇させた場合、冷却効果が著しく向上することがある。
【０２９６】
図２４（ｂ）は、吹き出し口の径と、風量との関係を算出したシミュレーション結果を示している。
【０２９７】
この図に示されるように、クリアランスと風量とは、概ね線形の関係にある。従って、乱流促進部を形成し、吹き出し口から吹き出された乱流の空気の風量が、図２４（ａ）に示した一定の値（０．７ｍ／ｓ）程度になるように設定すれば、吹き出し口の径を最大限絞り、光学部品に効果的に空気を吹き付けることができることになる。すなわち、乱流促進部は、吹き出し口の径を絞ることができるという副次的な効果を奏する。
【０２９８】
図２５（ａ）は、実施形態において、主として図１５〜図１７を参照して説明したように、ファンを防振部材により保持した場合の騒音を算出したシミュレーション結果を示している。
【０２９９】
左側の欄は、ファンに供給する電力の電圧を示している。２列目の欄は、硬度１５のスチレン系熱可塑性エラストマーにより防振部材を構成したときの騒音値を示している。３列目の欄は、硬度１０のスチレン系熱可塑性エラストマーにより防振部材を構成したときの騒音値を示している。４列目の欄は、２列目の欄と３列目の欄との差を示している。なお、シミュレーションにおけるファンの径は８０ｍｍであり、騒音値は、ファンの４方向の平均値を示している。
【０３００】
この図に示されるように、電圧が高いほうが騒音値が高い。具体的には、ファンに印加される電圧が１Ｖ上昇すると、騒音値は２ｄｂＡ上昇する。また、硬度が低いほうが騒音値が低い。具体的には、防振部材が硬度１５の場合と、硬度１０の場合とでは、硬度１０の場合の方が、騒音値が２ｄｂＡ低い。
【０３０１】
図２５（ｂ）は、図２５（ａ）に示した騒音値を、周波数毎に示したものである。
【０３０２】
ここで、騒音レベルは、３１．５〜８ＫＨｚ程度までの周波数帯域毎の騒音レベル（ｄｂＡ）により、聴衆の会話妨害のレベルとしてＮＣ値で表現できる。ＮＣ２０〜３０は、非常に静か、電話に支障無し、大会議可能というレベルであり、ＮＣ３０〜３５は、静か、１５フィートのテーブルで会議可能、１０〜３０フィート離れて普通の声の会話が可能というレベルであり、ＮＣ２５〜３０は、寝室・音楽室・映画館等でのプロジェクターの使用が可能というレベルである。騒音値３０ｄＢＡ以下（ＮＣ２５程度）の投射型表示装置でも、騒音は大きくは振動音・共振音及び風きり音等に分かれ、特に人間が特に耳障りと感ずる音は振動音であり、周波数的には５００〜１０００Ｈｚの帯域騒音を押さえることが静粛性の点では重要とされている。
【０３０３】
図２５（ｂ）では、防振材料が硬度１０である場合、硬度１５である場合に比較して、５００〜１０００Ｈｚの帯域騒音が著しく低下していることが示されている。以上のことから、スチレン系熱可塑性エラストマーにより防振部材を構成する場合には、硬度１０以下であることが好ましい。
【図面の簡単な説明】
【０３０４】
【図１】本発明の実施形態に係る投射型表示装置の外観斜視図。
【図２】図１の投射型表示装置の他の方向からの外観斜視図。
【図３】図１の投射型表示装置の更に他の方向からの外観斜視図。
【図４】図１の投射型表示装置の内部を示す斜視図。
【図５】図４の状態から更に複数の部品を取り外した投射型表示装置の内部を示す斜視図。
【図６】図４に対応する平面図。
【図７】図５に対応する平面図。
【図８】図１の投射型表示装置の光学系の概略構成を示す平面図。
【図９】図１の投射型表示装置の光源ユニットを示す透視図。
【図１０】図１の投射型表示装置のランプの斜視図。
【図１１】図１の投射型表示装置の調整部材の位置の変化を説明する概念図。
【図１２】図１の投射型表示装置のライトバルブ及び吹き出し口付近の拡大図。
【図１３】図１２の吹き出し口の平面図。
【図１４】図１の投射型表示装置のフィルター周辺部を説明する図。
【図１５】図１の投射型表示装置の軸流ファン及び防振部材を示す斜視図。
【図１６】図１５の軸流ファンを筐体に取り付けたときの斜視図。
【図１７】図１６に対応する正面図及び側面図。
【図１８】調整機構の変形例を説明する概略図。
【図１９】調整部材の変形例を説明する斜視図。
【図２０】乱流促進部の変形例を示す断面図。
【図２１】乱流促進部の更に他の変形例を示す平面図。
【図２２】熱風の到達範囲を算出したシミュレーション結果を示す図。
【図２３】風速を算出したシミュレーション結果を示す図。
【図２４】風速、冷却効果、吹き出し口の径の関係を算出したシミュレーション結果を示す図。
【図２５】騒音を算出したシミュレーション結果を示す図。
【符号の説明】
【０３０５】
１…プロジェクター（投射型表示装置）、３…筐体、３ｂ…底面部、５…レンズ鏡筒、６…投射レンズ、１５…フィルター交換用蓋体、４１…光源ユニット、４７…制御駆動ブロック、４９…ランプ、５１…ランプハウス、５１ｂ…排気口、６３…回路基板、７７…第３シロッコファン、７９…第２導出ダクト、８１…第２軸流ファン、１０３…吹き出し口、１０５…羽根部、１０７…ファンケース、１２９…入射側偏光板、１３１…液晶パネル、１３３…出射側偏光板、１３８…調整機構、１３９…調整部材、１４５…ノズル（乱流促進部）、１５５…フィルター、１６１…吸気口、１６５…吸気口、１６７…防振部材、ＡＦＲ１…第１空気流路、ＡＦＲ２…第２空気流路。
【図１】
2008262063.tif 000003
【図２】
2008262063.tif 000004
【図３】
2008262063.tif 000005
【図４】
2008262063.tif 000006
【図５】
2008262063.tif 000007
【図６】
2008262063.tif 000008
【図７】
2008262063.tif 000009
【図８】
2008262063.tif 000010
【図９】
2008262063.tif 000011
【図１０】
2008262063.tif 000012
【図１１】
2008262063.tif 000013
【図１２】
2008262063.tif 000014
【図１３】
2008262063.tif 000015
【図１４】
2008262063.tif 000016
【図１５】
2008262063.tif 000017
【図１６】
2008262063.tif 000018
【図１７】
2008262063.tif 000019
【図１８】
2008262063.tif 000020
【図１９】
2008262063.tif 000021
【図２０】
2008262063.tif 000022
【図２１】
2008262063.tif 000023
【図２２】
2008262063.tif 000024
【図２３】
2008262063.tif 000025
【図２４】
2008262063.tif 000026
【図２５】
2008262063.tif 000027